(57)【要約】      （修正有）【課題】アクセス端末がクローズド加入者グループ（ＣＳＧ）のアクセスポイントへのアクセスを制御するためのメカニズムを提供する。【解決手段】アクセスポイントは、アクセス端末についてのアクセス制御をネットワークエンティティが実行すべきかどうかを示すためにネットワークエンティティに対してインジケーションまたはメッセージを送る。いくつかの実装では、インジケーション／メッセージは、ネットワークエンティティがアクセス制御を実行すべきか否かという明示的なインジケーションを備えることができる。いくつかの実装では、メッセージに情報（例えば、ＣＳＧ識別子）を包含することまたはメッセージから情報を除外することは、ネットワークエンティティがアクセス制御を実行すべきかどうかを示す。【選択図】図２
2014112868.tif 000002
【特許請求の範囲】
【請求項１】
下記を備える通信の方法：
アクセスポイントにおいてインジケーションを生成すること、ここにおいて、前記インジケーションは、ネットワークエンティティがアクセス端末についてのアクセス制御を実行すべきかどうかを示す；および、
前記ネットワークエンティティに対して前記インジケーションを送ること。
【請求項２】
前記インジケーションは、前記ネットワークエンティティが前記アクセス制御を実行するということ、または、前記アクセス制御を実行しないということ、を明示的に示す、請求項１に記載の方法。
【請求項３】
前記インジケーションは、メッセージにおける情報エレメントである、請求項２に記載の方法。
【請求項４】
前記インジケーションは、ブールタイプまたはエニュメレートタイプである、請求項２に記載の方法。
【請求項５】
前記ネットワークエンティティは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、請求項１に記載の方法。
【請求項６】
前記アクセスポイントは、前記アクセス端末がクローズド加入者グループであるかどうかを示す前記アクセス端末から受信された情報に基づいて前記インジケーションを生成する、請求項１に記載の方法。
【請求項７】
前記アクセスポイントは、無線ネットワークと関連づけられる定義されたサブセットのアクセス端末へのアクセスを制約する、請求項１に記載の方法。
【請求項８】
前記アクセスポイントは、ホームＮｏｄｅＢ、ホームｅＮｏｄｅＢ、無線ネットワークコントローラ、または、クローズド加入者グループセルを備える、請求項１に記載の方法。
【請求項９】
前記インジケーションは、初期ＵＥメッセージを介して送られる、請求項１に記載の方法。
【請求項１０】
前記インジケーションは、ＵＥレジスタリクエストメッセージを介して送られる、請求項１に記載の方法。
【請求項１１】
前記ネットワークエンティティに対して前記インジケーションを送信することは、前記ネットワークエンティティへ前記インジケーションを転送するゲートウェイに対して前記インジケーションを送ることを備える、請求項１に記載の方法。
【請求項１２】
前記ゲートウェイは、ホームＮｏｄｅＢゲートウェイまたはホームｅＮｏｄｅＢゲートウェイを備える、請求項１１に記載の方法。
【請求項１３】
下記を備える通信のための装置：
アクセスポイントにおいてインジケーションを生成するように構成されたアクセス制御コントローラ、なお、前記インジケーションは、ネットワークエンティティがアクセス端末についてのアクセス制御を実行すべきかどうかを示す；および、
前記ネットワークエンティティに対して前記インジケーションを送るように構成された通信コントローラ。
【請求項１４】
前記インジケーションは、前記ネットワークエンティティが前記アクセス制御を実行するということ、または、前記アクセス制御を実行しないということ、を明示的に示す、請求項１３に記載の装置。
【請求項１５】
前記アクセスポイントは、前記アクセス端末がクローズド加入者グループであるかどうかを示す前記アクセス端末から受信された情報に基づいて前記インジケーションを生成する、請求項１３に記載の装置。
【請求項１６】
前記インジケーションは、初期ＵＥメッセージを介して送られる、請求項１３に記載の装置。
【請求項１７】
前記インジケーションは、ＵＥレジスタリクエストメッセージを介して送られる、請求項１３に記載の装置。
【請求項１８】
下記手段を備える通信のための装置：
アクセスポイントにおいてインジケーションを生成するための手段、ここにおいて、前記インジケーションは、ネットワークエンティティがアクセス端末についてのアクセス制御を実行すべきかどうかを示す；
前記ネットワークエンティティに対して前記インジケーションを送るための手段。
【請求項１９】
前記インジケーションは、前記ネットワークエンティティが前記アクセス制御を実行するということ、または、前記アクセス制御を実行しないということ、を明示的に示す、請求項１８に記載の装置。
【請求項２０】
前記アクセスポイントは、前記アクセス端末がクローズド加入者グループであるかどうかを示す前記アクセス端末から受信された情報に基づいて前記インジケーションを生成する、請求項１８に記載の装置。
【請求項２１】
前記インジケーションは、初期ＵＥメッセージを介して送られる、請求項１８に記載の装置。
【請求項２２】
前記インジケーションは、ＵＥレジスタリクエストメッセージを介して送られる、請求項１８に記載の装置。
【請求項２３】
コンピュータプログラム製品であって、コンピュータ可読媒体を備え、前記コンピュータ可読媒体は、下記のコードを備えるコンピュータプログラム製品：
コンピュータに、アクセスポイントにおいてインジケーションを生成させるためのコード、ここにおいて、前記インジケーションは、ネットワークエンティティがアクセス端末についてのアクセス制御を実行すべきかどうかを示す；および、
コンピュータに、前記ネットワークエンティティに対して前記インジケーションを送らせるためのコード。
【請求項２４】
前記インジケーションは、前記ネットワークエンティティが前記アクセス制御を実行するということ、または、前記アクセス制御を実行しないということ、を明示的に示す、請求項２３に記載のコンピュータプログラム製品。
【請求項２５】
前記アクセスポイントは、前記アクセス端末がクローズド加入者グループであるかどうかを示す前記アクセス端末から受信された情報に基づいて前記インジケーションを生成する、請求項２３に記載のコンピュータプログラム製品。
【請求項２６】
前記インジケーションは、初期ＵＥメッセージを介して送られる、請求項２３に記載のコンピュータプログラム製品。
【請求項２７】
前記インジケーションは、ＵＥレジスタリクエストメッセージを介して送られる、請求項２３に記載のコンピュータプログラム製品。
【請求項２８】
下記を備える通信の方法：
ネットワークエンティティにおいてアクセスポイントからインジケーションを受信すること、なお、前記インジケーションは、前記ネットワークエンティティがアクセス端末についてのアクセス制御を実行すべきかどうかを示す；および、
前記受信されたインジケーションに基づいて前記アクセス端末についてのアクセス制御を実行すべきかどうかを決定すること。
【請求項２９】
前記アクセス制御を実行すべきかどうかを決定することは、前記ネットワークエンティティが前記アクセス制御を実行するということを前記インジケーションが明示的に示す場合には前記アクセス制御を実行すること、または、前記ネットワークエンティティが前記アクセス制御を実行しないということを前記インジケーションが明示的に示す場合には前記アクセス制御を実行しないこと、を備える、請求項２８に記載の方法。
【請求項３０】
前記インジケーションは、メッセージにおける情報エレメントである、請求項２９に記載の方法。
【請求項３１】
前記インジケーションは、ブールタイプまたはエニュメレートタイプである、請求項２９に記載の方法。
【請求項３２】
前記ネットワークエンティティは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、請求項２８に記載の方法。
【請求項３３】
前記アクセスポイントは、無線ネットワークと関連づけられる定義されたサブセットのアクセス端末へのアクセスを制約する、請求項２８に記載の方法。
【請求項３４】
前記アクセスポイントは、ホームＮｏｄｅＢ、ホームｅＮｏｄｅＢ、無線ネットワークコントローラ、または、クローズド加入者グループセルを備える、請求項２８に記載の方法。
【請求項３５】
前記インジケーションは、初期ＵＥメッセージを介して受信される、請求項２８に記載の方法。
【請求項３６】
前記インジケーションは、ＵＥレジスタリクエストメッセージを介して受信される、請求項２８に記載の方法。
【請求項３７】
前記アクセスポイントから前記インジケーションを受信することは、前記アクセスポイントから前記ネットワークエンティティへ前記インジケーションを転送するゲートウェイから前記インジケーションを受信することを備える、請求項２８に記載の方法。
【請求項３８】
前記ゲートウェイは、ホームＮｏｄｅＢゲートウェイまたはホームｅＮｏｄｅＢゲートウェイを備える、請求項３７に記載の方法。
【請求項３９】
下記を備える通信のための装置：
ネットワークエンティティにおいてアクセスポイントからインジケーションを受信するように構成された通信コントローラ、ここにおいて、前記インジケーションは、前記ネットワークエンティティがアクセス端末についてのアクセス制御を実行すべきかどうかを示す；および、
前記受信されたインジケーションに基づいて前記アクセス端末についてのアクセス制御を実行すべきかどうかを決定するように構成されたアクセスコントローラ。
【請求項４０】
前記アクセス制御を実行するかどうかということを決定することは、前記ネットワークエンティティが前記アクセス制御を実行するということを前記インジケーションが明示的に示す場合には前記アクセス制御を実行すること、または、前記ネットワークエンティティが前記アクセス制御を実行しないということを前記インジケーションが明示的に示す場合には前記アクセス制御を実行しないこと、を備える、請求項３９に記載の装置。
【請求項４１】
前記ネットワークエンティティは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、請求項３９に記載の装置。
【請求項４２】
前記インジケーションは、初期ＵＥメッセージを介して受信される、請求項３９に記載の装置。
【請求項４３】
前記インジケーションは、ＵＥレジスタリクエストメッセージを介して受信される、請求項３９に記載の装置。
【請求項４４】
下記手段を備える通信のための装置：
ネットワークエンティティにおいてアクセスポイントからインジケーションを受信するための手段、ここにおいて、前記インジケーションは、前記ネットワークエンティティがアクセス端末についてのアクセス制御を実行すべきかどうかを示す；
前記受信されたインジケーションに基づいて前記アクセス端末についてのアクセス制御を実行するかどうかを決定するための手段。
【請求項４５】
前記アクセス制御を実行するかどうかということを決定することは、前記ネットワークエンティティが前記アクセス制御を実行するということを前記インジケーションが明示的に示す場合には前記アクセス制御を実行すること、または、前記ネットワークエンティティが前記アクセス制御を実行しないということを前記インジケーションが明示的に示す場合には前記アクセス制御を実行しないこと、を備える、請求項４４に記載の装置。
【請求項４６】
前記ネットワークエンティティは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、請求項４４に記載の装置。
【請求項４７】
前記インジケーションは、初期ＵＥメッセージを介して受信される、請求項４４に記載の装置。
【請求項４８】
前記インジケーションは、ＵＥレジスタリクエストメッセージを介して受信される、請求項４４に記載の装置。
【請求項４９】
コンピュータプログラム製品であって、コンピュータ可読媒体を備え、前記コンピュータ可読媒体は、下記のコードを備える、コンピュータプログラム製品：
コンピュータに、ネットワークエンティティにおいてアクセスポイントからインジケーションを受信させるためのコード、ここにおいて、前記インジケーションは、前記ネットワークエンティティがアクセス端末についてのアクセス制御を実行すべきかどうかを示す；および、
コンピュータに、前記受信されたインジケーションに基づいて前記アクセス端末についてのアクセス制御を実行するかどうかを決定させるためのコード。
【請求項５０】
前記アクセス制御を実行するかどうかということを決定することは、前記ネットワークエンティティが前記アクセス制御を実行するということを前記インジケーションが明示的に示す場合には前記アクセス制御を実行すること、または、前記ネットワークエンティティが前記アクセス制御を実行しないということを前記インジケーションが明示的に示す場合には前記アクセス制御を実行しないこと、を備える、請求項４９に記載のコンピュータプログラム製品。
【請求項５１】
前記ネットワークエンティティは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、請求項４９に記載のコンピュータプログラム製品。
【請求項５２】
前記インジケーションは、初期ＵＥメッセージを介して受信される、請求項４９に記載のコンピュータプログラム製品。
【請求項５３】
前記インジケーションは、ＵＥレジスタリクエストメッセージを介して受信される、請求項４９に記載のコンピュータプログラム製品。
【発明の詳細な説明】
【優先権主張】
【０００１】
[0001]  本願は、２００９年２月２日に出願され、Ａｔｔｏｒｎｅｙ Ｄｏｃｋｅｔ Ｎｏ．０９１１３４Ｐ１を割り当てられた、公有の米国仮特許出願第６１／１４９，２６１号の優先権と利益を主張し、その開示は、ここにおける参照により、ここによって組み込まれる。
【背景】
【０００２】
（分野）
[0002]  本願は、一般的には無線通信に関し、排他的ではないが、より具体的には、アクセス制御技法に関する。
【０００３】
（イントロダクション）
[0003]  無線通信ネットワークは、定義された地理エリア(defined geographical area)にわたって展開され、その地理エリア内のユーザに対して様々なタイプのサービス(例えば、音声、データ、マルチメディアサービス、等)を提供する。一般的な実装では、アクセスポイント(例えば、異なるセルに対応している)は、ネットワークによってサービス提供される地理エリア内で動作しているアクセス端末(例えば、セル電話)の無線接続を提供するためにネットワーク全体に分散している。
【０００４】
[0004]  高速レートおよびマルチメディアデータサービスの需要が急速に高まるにつれ、高性能を備えた効率的で且つロバストな通信システムを実装する課題がある。従来のネットワークアクセスポイント（例えば、マクロアクセスポイント）を補うために、小さなカバレッジのアクセスポイントは、よりロバストな屋内無線カバレッジまたは他のカバレッジをモバイルユニットに対して提供するように展開される（例えば、ユーザの家庭でインストールされる）ことができる。このような小さなカバレッジのアクセスポイントは、例えばホームＮｏｄｅＢｓ（ＨＮＢｓ）、ホームｅＮｏｄｅＢｓ（ＨｅＮＢｓ）、フェムトアクセスポイント、フェムトセル、または、アクセスポイント基地局と呼ばれることができる。一般的に、このような小さなカバレッジの基地局は、ＤＳＬルータまたはケーブルモデムを介してインターネットとモバイルオペレータのネットワークとに接続される。
【０００５】
[0005]  いくつかの実装では、小さなカバレッジのアクセスポイントは、制約されたアクセスポイントを有する（例えば、クローズド加入者グループ（ＣＳＧ）セルを備える）ように構成されることができる。例えば、アクセスポイントへのアクセスは、アクセスポイントの所有者またはユーザによって指定されているそれらのアクセス端末に制限されることがある。したがって、アクセス端末がそのようなアクセスポイントのカバレッジに入るとき、そのアクセスポイントへのアクセスを制御するためのメカニズムが提供されるべきである。
【発明の概要】
【０００６】
[0006]  本開示のサンプル態様の概要が続く。ここにおける説明では、用語の態様へのいずれの言及も、本開示の１つまたは複数の態様を指す。
【０００７】
[0007]  本開示は、いくつかの態様においては、アクセス端末についてのアクセス制御がネットワークエンティティによって実行されるべきであるかどうかを制御することに関する。このようなスキームは、例えば、異なる複数のアクセス端末についてのアクセス制御が異なる複数のネットワークエンティティによって実行されることができる実装において利用されることができる。
【０００８】
[0008]  本開示は、いくつかの態様において、そのネットワークエンティティがアクセス端末についてのアクセスを制御すべきかどうかをネットワークエンティティに通知するために、ネットワークエンティティに対してインジケーションまたはメッセージをアクセスポイントが送るスキームに関する。いくつかの実装では、インジケーション／メッセージは、ネットワークエンティティがアクセス制御を実行すべきか否かという明示的なインジケーションを備えることができる。いくつかの実装では、メッセージに情報（例えば、ＣＳＧ識別子）を包含することまたはメッセージから情報を除外することは、ネットワークエンティティがアクセス制御を実行すべきかどうかを示す。
【０００９】
[0009]  本開示のこれらおよび他のサンプル態様は、後述される詳細な説明と特許請求の範囲の中で、そして添付図面の中で、説明される。
【図面の簡単な説明】
【００１０】
【図１】図１は、ネットワークエンティティがアクセス端末についてのアクセスを制御すべきかどうかをネットワークエンティティに通知するインジケーション／メッセージをアクセスポイントが送る、通信システムのいくつかのサンプル態様の簡略ブロック図である。
【図２】図２は、ネットワークエンティティがアクセス端末についてのアクセスを制御すべきかどうかを示すためにネットワークエンティティに対してインジケーションを送るアクセスポイントと関連して実行されることができるオペレーションのいくつかのサンプル態様のフローチャート図である。
【図３】図３は、ネットワークエンティティに対してメッセージを送るアクセスポイントに関連して実行されることができるオペレーションのいくつかのサンプル態様のフローチャート図であり、ここにおいて、メッセージに情報を包含することまたはメッセージから情報を除外することは、ネットワークエンティティがアクセス端末についてのアクセスを制御すべきかどうかを示す。
【図４】図４は、アクセスポイントゲートウェイまたは別のネットワークエンティティのいずれかがアクセス端末についてのアクセスを制御する通信システムのいくつかのサンプル態様の簡略ブロック図である。
【図５】図５は、通信ノードにおいて利用されることができるコンポーネントのいくつかのサンプル態様の簡略ブロック図である。
【図６】図６は、無線通信システムの簡略図である。
【図７】図７は、フェムトノードを含んでいる無線通信システムの簡略図である。
【図８】図８は、無線通信のためのカバレッジエリアを図示している簡略図である。
【図９】図９は、通信コンポーネントのいくつかのサンプル態様の簡略ブロック図である。
【図１０】図１０−１３は、ここに教示されるようなアクセス制御を提供するように構成された装置のいくつかのサンプル態様の簡略ブロック図である。
【図１１】図１０−１３は、ここに教示されるようなアクセス制御を提供するように構成された装置のいくつかのサンプル態様の簡略ブロック図である。
【図１２】図１０−１３は、ここに教示されるようなアクセス制御を提供するように構成された装置のいくつかのサンプル態様の簡略ブロック図である。
【図１３】図１０−１３は、ここに教示されるようなアクセス制御を提供するように構成された装置のいくつかのサンプル態様の簡略ブロック図である。
【詳細な説明】
【００１１】
[0020]  一般的な慣行に従い、図面で図示される様々な特徴は、拡大・縮小するように図示されていない。したがって、様々な特徴の規模は、明瞭にするため、任意に拡張または縮小されうる。さらに、図面のうちのいくつかは明瞭にするために単純化されることがある。したがって、図面は、与えられた装置(例えばデバイス)または方法のコンポーネントのすべてを図示しないことがある。最後に、同様な参照番号は、明細書および図面の全体にわたって同様な特徴を示すために使用されることができる。
【００１２】
[0021]  本開示の様々な態様は、下記で説明されている。ここにおける教示は様々な形態で具現化されうるということ、そして、ここにおいて開示される、いずれの具体的な構造、機能、または、両方は、単なる見本である。ここにおける教示に基づいて、当業者は、ここに開示される態様はいずれの他の態様と独立して実装されることができるということ、そして、これらの態様のうちの２以上は様々な方法で組み合わせられることができるということ、を理解すべきである。例えば、ここに記載される任意の数の態様を使用して、本装置は実装されることができる、または、方法は実行されることができる。更に、ここに記載される態様の１つまたは複数に加え、または、ここに記載される態様の１つまたは複数以外に、他の構造、機能、または構造及び機能を使用して、このような装置は実装されることができる、または、このような方法は実践されることができる。更に、一態様は、本願請求項の少なくとも１つの構成要素を備えることができる。
【００１３】
[0022]  図１は、サンプル通信システム１００のいくつかのノード（例えば、通信ネットワークの一部分）を図示する。説明する目的のために、本開示の様々な態様は、互いに通信する１つまたは複数のアクセス端末、アクセスポイント、そしてネットワークノードの文脈で説明される。しかし、ここにおける教示は、他の用語を使用して参照される他のタイプの装置または他の同様な装置に適用可能であることができるということは理解されるべきである。例えば、様々な実装では、アクセスポイントは、基地局、ＮｏｄｅＢｓ、ＨＮＢｓ、セルなどと呼ばれ、または、実装されることができ、アクセス端末は、ユーザ機器またはモバイルなどと呼ばれ、または、実装されることができる。
【００１４】
[0023]  システム１００のアクセスポイントは、システム１００のカバレッジエリアの全体でローミングすることができる、または、システム１００のカバレッジエリア内でインストールされることができる、１つまたは複数の無線端末（例えば、アクセス端末１０２）に対して１つまたは複数のサービス（例えば、ネットワーク接続）を提供する。例えば、様々な時点で、アクセス端末１０２は、アクセスポイント１０４または他の何らかのアクセスポイント（図１で図示されず）に接続することができる。アクセスポイントのそれぞれは、広域ネットワーク接続を容易にするために、１つまたは複数のネットワークノード（ネットワークノード１０６と便宜上表される）と通信することができる。ネットワークノード１０６は、例えば、１つまたは複数の無線および／またはコアネットワークエンティティのような様々な形態をとることができる。したがって、様々な実装では、ネットワークノード１０６は、ネットワーク管理(例、オペレーション、承認、管理、プロビジョニングエンティティを介する)、呼び出し制御、セッション管理、モビリティ管理、ゲートウェイ機能、インターワーキング機能、または他の何らかの適切なネットワーク機能、のうちの少なくとも1つのような機能を表すことができる。いくつかの態様では、モビリティ管理は、トラッキングエリア、ロケーションエリア、ルーティングエリア、または、いくつかの他の適切な技法を使用することを通じてアクセス端末の現在のロケーションの経過を追うことと、アクセス端末についてのページングを制御することと、アクセス端末についてのアクセス制御を提供することと、に関する。また、これらのネットワークエンティティのうち２以上は、ネットワーク内で、一緒に配置されていてもよく、または、分散していてもよい。
【００１５】
[0024]  ここにおける教示にしたがって、アクセスポイント１０４は、ネットワークエンティティ１１０（例えば、ネットワークノード１０６内で実装される、または、ネットワークノード１０６を備える）がアクセス端末１０２についてのアクセス制御を実行するかどうかを示すためにアクセス制御インジケーション／メッセージ生成器機能１０８を含む。このアクセス制御は、ＣＳＧコンセプトまたは他の何らかの適切なアクセス制御コンセプトに基づくことができる。いくつかの態様では、アクセスポイント１０４は、アクセス端末１０２からアクセスポイント１０４が受信するアクセス端末機能情報に基づいてアクセス制御をネットワークエンティティが実行するかどうかを決定することができる。例えば、この情報は、アクセス端末１０２がＣＳＧ機能をサポートするかどうかを示すことができる。ネットワークエンティティ１１０がアクセス制御を実行するということを決定すると、アクセスポイント１０４は、ネットワークエンティティ１１０に対して対応するアクセス制御インジケーションまたはメッセージを送る。下記で詳細に説明されるように、このインジケーション／メッセージは、ネットワークエンティティ１１０がアクセス制御を実行すべきかどうかというインジケーション（例、明示的なインジケーション）を備えることができる、または、メッセージに情報を包含すること／メッセージから情報を除外することに基づいてアクセス制御をネットワークエンティティ１１０が実行すべきかどうかを示すことができる。このインジケーション／メッセージを受信すると、ネットワークエンティティ１１０のアクセスコントローラ機能１１２は、アクセス端末１０２についてのアクセス制御を実行するかどうかを決定する。
【００１６】
[0025]  図１のコンポーネントは、異なる実装において異なる形態をとることができる。例えば、アクセスポイントは、ＨＮＢ、ＨｅＮＢ、ＣＳＧセル、または、制約されたアクセスのある形態を備えた他のアクセスポイント機能を備えることができる。また、ネットワークエンティティは、アクセスポイントゲートウェイ（例えば、ＨＮＢゲートウェイまたはＨｅＮＢゲートウェイ）、モビリティ管理エンティティ（ＭＭＥ）、モバイル交換センタ／ビジターロケーションレジスタ（ＭＳＣ／ＶＬＲ）、サービングＧＰＲＳサポートノード（ＳＧＳＮ）、または他の何らかの適切なエンティティを備えることができる。
【００１７】
[0026]  上記の概観を念頭において、ここにおける教示にしたがってアクセス制御を提供するために利用されることができる様々な技法は、図２と図３を参照してより詳細に説明される。簡潔に、図２のフローチャートは、インジケーションを提供することに関連して実行されることができるサンプルオペレーションを説明し、図３のフローチャートは、メッセージに情報を包含すること／メッセージから情報を除外することに関連して実行されることができるサンプルオペレーションを説明する。
【００１８】
[0027]  説明する目的のために、図２と図３の動作（またはここにおいて説明されるまたは教示されるいずれの他の動作）は、特定のコンポーネント（例、図１、４、および５に示されるコンポーネント）によって実行されるものとして説明されることができる。しかしながら、これらの動作は、他のタイプのコンポーネントによって実行されうる、そして、異なる数のコンポーネントを使用して実行されうる、ということは理解されるべきである。また、ここに記述された動作のうち１つまたは複数は与えられた実装において利用されない場合があるということは理解されるべきである。
【００１９】
[0028]  図２のブロック２０２で表されるように、ある時点で、アクセス端末は、制約されたアクセスでアクセスポイントとの通信を確立する（例えば、アクセスポイントはＣＳＧと関連づけられたＨＮＢである）。例えば、ＵＭＴＳまたはＬＴＥシステムでは、アクセス端末は、アクセスポイントに対してＲＲＣメッセージのようなアクセスストラトム（ＡＳ）メッセージを送ることができる。
【００２０】
[0029]  このメッセージに関連して、アクセス端末は、アクセス端末の機能を示す情報を送ることができる。例えば、ＲＲＣメッセージは、ＣＳＧ機能をアクセス端末がサポートするかどうかを示す情報を備えることができる。いくつかの実装では、この情報はアクセス端末リリース情報（例えば、アクセスストラトムリリース情報）を備える。例えば、リリース情報は、アクセス端末がサポートする通信標準規格のリリース（単数または複数）を識別することができる。代わりに、リリース情報は、アクセス端末がＣＳＧをサポートするかどうかを示すことができる（例えば、ＵＭＴＳにおけるプレリリース８は、アクセス端末はＣＳＧ機能をサポートしないということを示す）。
【００２１】
[0030]  ブロック２０４で表されるように、受信された情報に基づいて、アクセスポイントは、アクセス端末についてのアクセス制御を実行するためにネットワークエンティティを識別する。例えば、あるネットワークエンティティは、ＣＳＧ機能をサポートしないアクセス端末についてのアクセス制御を実行するために指定されることができ、別のネットワークエンティティは、ＣＳＧ機能をサポートするアクセス端末についてのアクセス制御を実行するために指定されることができる。そのような場合、アクセスポイントは、アクセス端末がＣＳＧ機能をサポートするかどうかを示すアクセス端末から受信された情報に基づいて、アクセス端末についてのアクセス制御をこれらのネットワークエンティティのうちどれが提供するべきかを決定することができる。
【００２２】
[0031]  ブロック２０６で表されるように、アクセスポイントは、アクセス端末についてのアクセス制御を特定ネットワークエンティティが実行すべきかどうかを示すインジケーションを生成する。この例では、インジケーションの生成は、ブロック２０４でなされる決定に基づいている（例えば、アクセス端末から受信される情報に基づいている）。
【００２３】
[0032]  ブロック２０６で生成されるインジケーションは、様々な形態をとることができる。いくつかの実装では、このインジケーションは、ネットワークエンティティがアクセス制御を実行すべきかどうかを暗示的に示すことができる。いくつかの実装では、このインジケーションは、ネットワークエンティティがアクセス制御を実行すべきかどうかを明示的に示すことができる。例えば、インジケーションは、アクセス端末上でアクセス制御を実行するようにネットワークエンティティに知らせることができる、または、インジケーションは、アクセス端末上でアクセス制御を実行しないようにネットワークエンティティに知らせることができる。
【００２４】
[0033]  ブロック２０８で表わされるように、アクセスポイントは、ネットワークエンティティに対してインジケーションを送る。いくつかの実装では、インジケーションはメッセージにおける情報エレメントの形態で送られることができる。この情報エレメントは、例えば、エニュメレートされた値のタイプ、ブールデータタイプ(Boolean data type)、または、他の何らかのデータタイプのようなさまざまな形式をとることができる。さらに、アクセスポイントによって送られたメッセージは、様々な形態をとることができる。例えば、ＵＭＴＳまたはＬＴＥのシステムでは、アクセスポイントは、初期ＵＥメッセージを介してインジケーションを送ることができる。しかしながら、アクセスポイントによって送られたメッセージは、アクセス制御に関連していてもよく、または、関連していなくてもよい、ということは理解されるべきである。
【００２５】
[0034]  ネットワークエンティティは、ブロック２１０で表わされるようなインジケーションを受信する。その後で、ブロック２１２で表されるように、ネットワークエンティティは、受信されたインジケーションに基づいて、アクセス端末についてのアクセス制御を実行するかどうかを決定する。例えば、ネットワークエンティティは、ネットワークエンティティがアクセス制御を実行するということをインジケーションが（例、明示的にまたは暗示的に）示す場合にはアクセス制御を実行する。対照的に、ネットワークエンティティは、ネットワークエンティティがアクセス制御を実行しないということを示す（例、明示的にまたは暗示的に）場合にはアクセス制御を実行しない。
【００２６】
[0035]  図３を参照すると、ブロック３０２で表されるように、アクセス端末は、制約されたアクセスでアクセスポイントとの通信を確立し、そして、アクセス端末の機能を示す情報を送る。したがって、これらのオペレーションは、ブロック２０２で上述されるオペレーションに対応することができる。
【００２７】
[0036]  ブロック３０４で表されるように、受信された情報に基づいて、アクセスポイントは、アクセス端末についてのアクセス制御を実行するために、ネットワークエンティティを識別する。したがって、これらの動作は、ブロック２０４で上述されているオペレーションに対応することができる。
【００２８】
[0037]  ブロック３０６で表されるように、アクセスポイントは、特定のネットワークエンティティに対して送られるべきメッセージに情報を包含するかどうかを決定し、ここにおいて、メッセージに情報を包含することまたはメッセージから情報を除外することは、アクセス端末についてのアクセス制御をそのネットワークエンティティが実行すべきかどうかということを示している。この例では、包含／除外の決定は、ブロック３０４でなされる決定に基づいている(例えば、アクセス端末から受信された情報に基づいている)。
【００２９】
[0038]  ブロック３０６で包含／除外されるべき情報は、様々な形態をとることができる。いくつかの実装では、アクセスポイントは、ネットワークエンティティがアクセス制御を実行すべきかどうかを示すために、メッセージにそのＣＳＧ ＩＤを包含することができる／メッセージからそのＣＳＧ ＩＤを除外することができる。例えば、メッセージにＣＳＧ ＩＤを包含することはアクセス制御をネットワークエンティティが実行するということを示すことができ、メッセージからＣＳＧ ＩＤを除外することは、アクセス制御をネットワークエンティティが実行しないということを示すことができる。
【００３０】
[0039]  いくつかの態様では、情報の包含／除外は、アクセス端末の機能を示すことができる。例えば、メッセージに情報（例えば、ＣＳＧ ＩＤ）を包含することはＣＳＧ機能をアクセス端末がサポートするということを示すことができ、メッセージから情報（例えば、ＣＳＧ ＩＤ）を除外することはＣＳＧ機能をアクセス端末がサポートしないということを示すことができる。
【００３１】
[0040]  ブロック３０８で表わされるように、アクセスポイントは、ネットワークエンティティに対してメッセージを送る。いくつかの実装では、情報はメッセージにおける情報エレメントの形態をとることができる。このようなメッセージは、様々な形態をとることができる。例えば、ＵＭＴＳまたはＬＴＥのシステムでは、メッセージは、初期ＵＥメッセージを備えることができる。しかしながら、アクセスポイントによって送られたメッセージは、アクセス制御に関連していてもよく、または、関連していなくてもよい、ということは理解されるべきである。
【００３２】
[0041]  ネットワークエンティティは、ブロック３１０で表わされるようにメッセージを受信する。ブロック３１２で表されるように、ネットワークエンティティは、受信されたメッセージに基づいてアクセス端末についてのアクセス制御を実行するかどうかを決定する。例えば、メッセージが情報を包含する場合、ネットワークエンティティはアクセス制御を実行することができる。対照的に、メッセージが情報を包含しない場合、ネットワークエンティティはアクセス制御を実行することができない。
【００３３】
[0042]  図４を参照すると、さらに説明する目的のために、ここにおける教示にしたがってどのようにアクセス制御が実行されることができるかという別の例は、異なる複数ネットワークエンティティが異なる複数タイプのアクセス端末についてのアクセス制御を提供するＵＭＴＳまたはＬＴＥシステム４００の文脈で説明される。例えば、アクセスポイントゲートウェイ４０２のようなネットワークエンティティ（例えば、ＨＮＢゲートウェイ、ＨｅＮＢゲートウェイ等）は、ＣＳＧ機能をサポートしないアクセス端末についてのアクセス制御を実行することができる。これらのアクセス端末は、ここでは非ＣＳＧアクセス端末と呼ばれることができる。対照的に、モビリティマネージャのようなコアネットワークエンティティ４０４（例えば、ＭＭＥ、ＭＳＣ／ＶＬＲ、ＳＧＳＮ等）は、ＣＳＧ機能をサポートするアクセス端末についてのアクセス制御を実行することができる。これらのアクセス端末は、ここではＣＳＧアクセス端末と呼ばれることができる。
【００３４】
[0043]  システム４００の、アクセスポイントゲートウェイ４０２、ネットワークエンティティ４０４、そしてアクセスポイント４０６及び４０８（例えば、ＨＮＢｓ、ＨｅＮＢｓ、ＣＳＧセル等）は、アクセス端末４１０についてのアクセス制御をどのネットワークエンティティが実行するかを制御するための機能を含む。例えば、アクセスポイント４０６及び４０８は、それぞれ、アクセスポイントゲートウェイ４０２またはネットワークエンティティ４０４がアクセス端末４１０についてのアクセス制御を実行すべきかどうかを決定するために、アクセス制御インジケーション／メッセージ生成器機能４１２及び４１４を含む。さらに、アクセスポイントゲートウェイ４０２は、非ＣＳＧアクセス端末についてのアクセスを制御するためのアクセスコントローラ機能４１６を含み、ネットワークエンティティ４０４は、ＣＳＧアクセス端末についてのアクセスを制御するためのアクセスコントローラ機能４１８を含む。
【００３５】
[0044]  非ＣＳＧアクセス端末とＣＳＧアクセス端末についてのアクセス制御を提供するためにシステム４００によって実行されることができるサンプルオペレーションが説明される。アクセス端末４１０が非ＣＳＧアクセス端末（例えば、プレリリース８ＵＭＴＳアクセス端末）を表す場合が最初に扱われ、アクセス端末４１０がＣＳＧアクセス端末（例えば、リリース８または後のＵＭＴＳアクセス端末）を表す場合を扱うことが続く。
【００３６】
[0045]  非ＣＳＧアクセス端末４１０は、アクセスポイント４０６との通信を開始するとき（例えば、ＲＲＣ接続セットアップの間）、アクセス端末４１０は、アクセス端末４１０がＣＳＧ機能をサポートしないということを示すメッセージ（例えば、ＲＲＣ接続セットアップ完了メッセージ）を送る。
【００３７】
[0046]  このインジケーションを受信すると、アクセスポイント４０６は、アクセスポイントゲートウェイ４０２がアクセス端末４１０についてのアクセス制御を実行するということを決定する。アクセスポイントゲートウェイ４０６は、アクセス制御を実行するということを示すメッセージをアクセスポイントゲートウェイ４０２に対して送る。例えば、メッセージは、ここに説明されるようなインジケーションまたは包含／除外の情報を備えることができる。いくつかの実装では、メッセージは、アクセス端末４１０の機能のインジケーションを含む登録リクエストの形態（例えば、ＵＥレジスタリクエストメッセージ）をとることができる。
【００３８】
[0047]  このメッセージを受信すると、アクセスポイントゲートウェイ４０２は、アクセスポイント４０６にアクセスすることをアクセス端末４１０が許可されるかどうかを決定し、アクセスポイント４０６に対し対応する応答メッセージを返送する。例えば、アクセスポイントゲートウェイ４０２は、アクセス端末４１０の登録を受諾することにより、アクセスが許可されるということを示すことができる。
【００３９】
[0048]  アクセスが許可される場合には、アクセスポイント４０６は、ネットワークでアクセス端末４１０についての接続を確立することを開始するために、ネットワークエンティティ４０４に対してメッセージ（例えば、ＲＡＮＡＰ初期ＵＥメッセージ）を送る。ここで、アクセスポイント４０６は、アクセスポイントゲートウェイ４０２に対してメッセージを送り、そのあとで、ネットワークエンティティ４０４へメッセージを転送することができる。ここに説明されるように、メッセージ（例えば、初期ＵＥメッセージ）は、ネットワークエンティティ４０４がアクセス端末４１０についてのアクセス制御を実行しないということを示すことができる。例えば、メッセージは、ここに説明されるようなインジケーションまたは除外情報（例えば、アクセスポイント４０６のＣＳＧ ＩＤ）を備えることができる。したがって、ネットワークエンティティ４０４は、アクセス端末４１０がアクセスポイント４０６にアクセスすることを許可されるかどうかを決定することなく、アクセス端末４１０についての接続を確立することを開始することができる。
【００４０】
[0049]  アクセス端末４１０がＣＳＧアクセス端末を表す場合を参照すると、アクセス端末４１０がアクセスポイント４０６との通信を開始するとき、アクセス端末４１０は、アクセス端末４１０がＣＳＧ機能をサポートするということを示すメッセージ（例えば、ＲＲＣ接続セットアップ完了メッセージ）を送る。
【００４１】
[0050]  このインジケーションを受信すると、アクセスポイント４０６は、ネットワークエンティティ４０４がアクセス端末４１０についてのアクセス制御（例えば、ＣＳＧベースのアクセス制御）を実行するということを決定する。いくつかの場合、アクセスポイント４０６は、アクセスポイントゲートウェイ４１０がアクセスを試みているということを示すアクセスポイントゲートウェイ４０２に対してメッセージを送ることができる。例えば、アクセスポイント４０６は、アクセスポイントゲートウェイに対して登録リクエスト（例、ＵＥレジスタリクエストメッセージ）を送ることができる。この場合、メッセージ（例えば、初期ＵＥメッセージ）は、ネットワークエンティティ４０４がアクセス端末４１０についてのアクセス制御を実行しないということを示すことができる。例えば、メッセージは、ここに説明されるように、インジケーションまたは包含／除外情報を備えることができる。
【００４２】
[0051]  このメッセージを受信すると、アクセスポイントゲートウェイ４０２はいずれのリクエストされた動作を実行する。例えば、アクセスポイントゲートウェイ４０２は、アクセス端末４１０の登録が受諾されるかどうかを示して、アクセスポイント４０６に対して応答を送ることができる。
【００４３】
[0052]  登録が受諾される場合には、アクセスポイント４０６は、ネットワークエンティティ４０４がアクセス端末４１０についてのアクセス制御を実行するということを示すメッセージ（例えば、ＲＡＮＡＰ初期ＵＥメッセージ）をネットワークエンティティ４０４に対して送る。例えば、メッセージは、ここに説明されるような、インジケーションまたは包含情報（例えば、アクセスポイント４０６のＣＳＧ ＩＤ）を備えることができる。また、アクセスポイント４０６は、アクセスポイントゲートウェイ４０２に対してメッセージを送り、そのあとで、ネットワークエンティティ４０４へメッセージを転送する。
【００４４】
[0053]  このメッセージを受信すると、ネットワークエンティティ４０４は、アクセスポイント４０６にアクセスすることをアクセス端末４１０が許可されるかどうかを決定し、アクセスポイント４０６に対し対応する応答メッセージを返送する。ネットワークエンティティ４０４は、アクセス端末４１０についての接続を確立することを開始することができる。
【００４５】
[0054]  図５は、ここに教示されるようなアクセス制御のオペレーションを実行するために、アクセスポイント５０２（例えば、アクセスポイント１０４またはアクセスポイント４０６に対応する）とネットワークエンティティ５０４（例、ネットワークエンティティ１１０、ネットワークエンティティ４０４、またはアクセスポイントゲートウェイ４０２に対応する）のようなノードに組み込まれることができるいくつかのサンプルコンポーネントを図示する。説明されるコンポーネントはまた、通信システムにおける他のノードへと組み込まれることができる。例えば、システムにおける他のノードは、同様な機能を提供するために、アクセスポイント５０２とネットワーク５０４について説明されるものと同様なコンポーネントを含むことができる。与えられたノードは、説明されるコンポーネントのうちの１つまたは複数を含むことができる。例えば、アクセスポイントは、アクセス端末が複数の周波数上で動作すること及び／または異なる複数技術を介して通信することを可能にする複数のトランシーバコンポーネントを含むことができる。
【００４６】
[0055]  図５に示されるように、アクセスポイント５０２は、他のノードと通信するためのトランシーバ５０６を含む。トランシーバ５０６は、信号（例えば、インジケーションおよびメッセージ）を送信するための送信機５０８と信号を受信するための受信機５１０を含む。
【００４７】
[0056]  いくつかの実装では、アクセスポイント５０２とネットワークエンティティ５０４は、互いに、そして、他のネットワークと通信するために、それぞれ、ネットワークインタフェース５１２及び５１４を含むことができる。例えば、ネットワークインタフェース５１２及び５１４は、有線または無線のバックホールを介して１つまたは複数のネットワークノードと通信するように構成されることができる。
【００４８】
[0057]  アクセスポイント５０２とネットワークエンティティ５０４はまた、ここに教示されるようなアクセス制御関連のオペレーションを実行するために他のコンポーネントを含むことができる。例えば、アクセスポイント５０２とネットワークエンティティ５０４は、それぞれ、他のノードとの通信を管理する（例えば、メッセージとインジケーションを送り受信する）ための、そして、ここに教示されるような他の関連機能を提供するための、通信コントローラ５１６及び５１８を含むことができる。エンティティが共同配置される場合、通信コントローラは、例えば、エンティティ間のインタープロセス通信を容易にする機能を提供することができる（例えば、プロセス間でデータを受け渡すことによって）。アクセスポイント５０２はまた、どのネットワークエンティティがアクセス制御を実行するかを制御するための（例えば、ネットワークエンティティがアクセス制御を実行するかどうかというインジケーションを生成する及び／またはネットワークエンティティがアクセス制御を実行するかどうかを示すためにメッセージに情報を包含するかどうかを決定する）、そして、ここに教示されるような他の関連機能を提供するための、アクセス制御コントローラ５２０（例えば、インジケーション／メッセージ生成器１０８及び４１２に対応する）を含む。ネットワークエンティティ５０４はまた、アクセス端末についてのアクセスを制御するための（例、受信されたインジケーションに基づいて、及び／または、受信されたメッセージが情報を包含するまたは除外するかどうかに基づいて、アクセス制御を実行するかどうかを決定すること）、および、ここに教示されるような他の関連機能を提供するための、アクセスコントローラ５２２（例、コントローラ１１２、４１６、および４１８に対応する）を含む。
【００４９】
[0058]  便宜上、アクセスポイント５０２とネットワークエンティティ５０４は、ここに説明される様々な例で使用されることができるコンポーネントを含むものとして図５で示されている。実際、図示されるコンポーネントの１つまたは複数は、異なる複数実装において異なる複数の機能を提供することができる。一例として、いくつかの実装では、アクセス制御コントローラ５２０がここに教示されるようなインジケーションを生成することができ、いくつかの実装では、アクセス制御コントローラ５２０は、ここに教示されるようなメッセージに情報を包含する／メッセージから情報を除外することができる。
【００５０】
[0059]  また、いくつかの実装では、図５のコンポーネントは、１つまたは複数のプロセッサにおいて実装されることができる（例えば、この機能を提供するためにプロセッサ（単数または複数）によって使用される情報またはコードを保存するためにデータメモリを使用する及び／または組み込む）。例えば、ブロック５１２、５１６、および５２０の機能は、アクセスポイントのプロセッサまたは複数プロセッサと、アクセスポイントのデータメモリと、によって実装されることができる（例えば、適切なコードの実施によって及び／またはプロセッサコンポーネントの適切な設定による）。同様に、ブロック５１４、５１８、および５２２の機能は、ネットワークエンティティのプロセッサまたは複数プロセッサと、ネットワークエンティティのデータメモリと、によって実装されることができる（例えば、適切なコードの実施による及び／またはプロセッサコンポーネントの適切な設定による）。
【００５１】
[0060]  上述されるように、いくつかの態様では、ここにおける教示は、マクロ規模のカバレッジ（例えば、一般的にマクロセルネットワークまたはＷＡＮと呼ばれる３Ｇネットワークのような大きいエリアのセルラネットワーク）と、より小規模のカバレッジ（例えば、一般的にＬＡＮと呼ばれる家庭ベースまたはビルベースのネットワーク環境）とを含むネットワークで利用されることができる。アクセス端末（ＡＴ）はこのようなネットワークを通じて移動するので、アクセス端末はマクロカバレッジエリアを提供するアクセスポイントによってあるロケーションでサービス提供されることができ、アクセス端末はより小規模のカバレッジを提供するアクセスポイントによって他のロケーションでサービス提供されることができる。いくつかの態様において、より小さなカバレッジのノードは、インクリメンタルキャパシティ成長(incremental capacity growth)、インビルディングカバレッジ、そして異なる複数サービスを提供するために使用されることができる（例、よりロバストなユーザ経験のために）。
【００５２】
[0061]  いくつかの態様では、相対的に大きいエリア上でカバレッジを提供するノード(例、アクセスポイント)は、マクロアクセスポイントと呼ばれ、相対的に小さいエリア(例、家庭)上でカバレッジを提供するノードは、フェムトアクセスポイントと呼ばれることができる。ここにおける教示は他のタイプのカバレッジエリアと関連づけられたノードに適用可能であることができる、ということは理解されるべきである。例えば、ピコアクセスポイントは、マクロエリアよりも小さい、そしてフェムトエリアよりも大きい、エリア上でカバレッジ（例えば、商業ビル内のカバレッジ）を提供することができる。様々なアプリケーションでは、マクロアクセスポイント、フェムトアクセスポイント、または他のアクセスポイントタイプのノードを参照して他の用語が使用されることができる。例えば、マクロアクセスポイントは、アクセスノード、基地局、アクセスポイント、ｅＮｏｄｅＢ、マクロセルなどとして設定されることができる、または、呼ばれることができる。また、フェムトアクセスポイントは、ホームＮｏｄｅＢ、ホームｅＮｏｄｅＢ、アクセス基地局、フェムトセルなど、として設定されることができる、または、呼ばれることができる。いくつかの実装では、ノードは、１つまたは複数のセルまたはセクタと関連づけられることができる(例えば、１つまたは複数のセルまたはセクタと呼ばれる、または、１つまたは複数のセルまたはセクタに分割される)。マクロアクセスポイント、フェムトアクセスポイント、またはピコアクセスポイントと関連づけられたセルまたはセクタは、それぞれ、マクロセル、フェムトセル、またはピコセルと呼ばれることができる。
【００５３】
[0062]  図６は、多数のユーザをサポートするように構成された無線通信システム６００を図示し、ここにおける教示が実装されることができる。システム６００は、例えばマクロセル６０２Ａ−６０２Ｇのような複数のセル６０２のための通信を提供し、各セルは、対応するアクセスポイント６０４（例えば、アクセスポイント６０４Ａ−６０４Ｇ）によってサービス提供されている。図６で示されるように、アクセス端末６０６（例えば、アクセス端末６０６Ａ−６０６Ｌ）は、時間にわたってシステム全体にわたって様々なロケーションで分散することができる。各アクセス端末６０６は、与えられた瞬間において順方向リンク（ＦＬ）及び／または逆方向リンク（ＲＬ）上で１つまたは複数のアクセスポイント６０４と通信することができ、例えば、アクセス端末６０６がアクティブであるかどうか、そして、それがソフトハンドオフの状態であるかどうかに依存する。無線通信システム６００は、大きな地理領域上でサービスを提供することができる。例えば、マクロセル６０２Ａ−６０２Ｇは、近隣の数ブロックまたは田舎な環境の数ブロックをカバーすることができる。
【００５４】
[0063]  図７は、１つまたは複数のフェムトアクセスポイントがネットワーク環境内で展開される例示的な通信システム７００を図示する。具体的には、システム７００は、相対的に小規模のネットワーク環境において（例えば、１つまたは複数のユーザ家庭７３０において）インストールされる複数のフェムトアクセスポイント７１０（例、フェムトアクセスポイント７１０Ａと７１０Ｂ）を含む。各フェムトアクセスポイント７１０は、ＤＳＬルータ、ケーブルモデム、無線リンク、または他の接続手段（図示されず）を介して、広域ネットワーク７４０（例えば、インターネット）とモバイルオペレータコアネットワーク７５０に結合されることができる。下記で説明されるように、各フェムトアクセスポイント７１０は、関連づけられたアクセス端末７２０（例えば、アクセス端末７２０Ａ）、オプションで他の（例、ハイブリッドまたはエーリアン）アクセス端末７２０（例、アクセス端末７２０Ｂ）をサービス提供するように構成されることができる。言い換えれば、フェムトアクセスポイント７１０へのアクセスは制約され、それによって、与えられたアクセス端末７２０は、１セットの指定された（例、ホーム）フェムトアクセスポイント（単数または複数）７１０によってサービス提供される場合がある、しかし、いずれの指定されないフェムトアクセスポイント７１０（例えば、近隣のフェムトアクセスポイント７１０）によってサービス提供されない場合がある。
【００５５】
[0064]  図８は、いくつかのトラッキングエリア８０２（またはルーティングエリアまたはロケーションエリア）が定義されるカバレッジマップ８００の例を図示し、それらのそれぞれは、いくつかのマクロカバレッジエリア８０４を含む。ここでは、トラッキングエリア８０２Ａ、８０２Ｂ、および８０２Ｃと関連づけられたカバレッジのエリアは、広幅な線で線引きされ、マクロカバレッジエリア８０４は、より大きな六角形で表される。トラッキングエリア８０２はまた、フェムトカバレッジエリア８０６を含む。この例では、フェムトカバレッジエリア８０６のそれぞれ（例、フェムトカバレッジエリア８０６Ｂおよび８０６Ｃ）は、１つまたは複数のマクロカバレッジエリア８０４（例えば、マクロカバレッジエリア８０４Ａと８０４Ｂ）内で図示される。しかしながら、フェムトカバレッジ８０６のいくつかまたはすべては、マクロカバレッジエリア８０４内にないということは理解されるべきである。実際、大多数のフェムトカバレッジエリア８０６（例えば、フェムトカバレッジエリア８０６Ａおよび８０６Ｄ）は、与えられたトラッキングエリア８０２またはマクロカバレッジエリア８０４内で定義されることができる。また、１つまたは複数のピコカバレッジエリア（図示されず）は、与えられたトラッキングエリア８０２またはマクロカバレッジエリア８０４内で定義されることができる。
【００５６】
[0065]  再び図７を参照すると、フェムトアクセスポイント７１０の所有者は、モバイルオペレータコアネットワーク７５０を通じて提供される例えば３Ｇモバイルサービスのようなモバイルサービスに加入することができる。さらに、アクセス端末７２０は、マクロの環境とより小規模の（例えば、家庭）ネットワーク環境の両方において動作することができる。言いかえれば、アクセス端末の現在のロケーションによって、アクセス端末７２０は、モバイルオペレータコアネットワーク７５０と関連づけられたマクロセルアクセスポイント７６０によって、または、１セットのフェムトアクセスポイント７１０のうちいずれか１つによって（例えば、対応するユーザ家庭７３０内に常駐するフェムトアクセスポイント７１０Ａ及び７１０Ｂ）、サービス提供されることができる。例えば、加入者が自宅の外にいるときには、加入者はスタンダードマクロアクセスポイント（例、アクセスポイント７６０）によってサービス提供され、加入者が自宅にいるときには、加入者はフェムトアクセスポイント（例、アクセスポイント７１０Ａ）によってサービス提供される。ここでは、フェムトアクセスポイント７１０は、レガシのアクセス端末７２０と後方互換性でありうる。
【００５７】
[0066]  フェムトアクセスポイント７１０は、単一の周波数上で、または、代替的には、複数の周波数上で、展開されることができる。特定の設定によって、単一の周波数または、複数周波数のうち１つまたは複数は、マクロアクセスポイント（例えば、アクセスポイント７６０）によって使用される１つまたは複数の周波数でオーバラップすることができる。
【００５８】
[0067]  いくつかの態様では、アクセス端末７２０は、そのような接続が可能であるときにはいつでも、好ましいフェムトアクセスポイント（例えば、アクセス端末７２０のホームフェムトアクセスポイント）に接続するように構成されることができる。例えば、アクセス端末７２０Ａがユーザの家庭７３０内にあるときにはいつでも、アクセス端末７２０Ａはホームフェムトアクセスポイント７１０Ａまたは７１０Ｂとのみ通信するということが望ましい場合がある。
【００５９】
[0068]  いくつかの態様では、アクセス端末７２０がマクロセルラネットワーク７５０内で動作するが、その最も好ましいネットワーク上で常駐していない場合（例えば、好ましいローミングリストにおいて定義されている）、アクセス端末７２０は、よりよいシステム再選択（ＢＳＲ）プロシージャを使用して最も好ましいネットワーク（例えば、好ましいフェムトアクセスポイント７１０）をサーチすることを継続することができ、そしてそれは、よりよいシステムが現在利用可能でありこのような好ましいシステムを後で獲得するかどうかを決定するために利用可能なシステムの周期的なスキャニングを含むことができる。アクセス端末７２０は、特定の帯域とチャネルについてのサーチを制限することができる。例えば、１つまたは複数のフェムトチャネルは定義され、それによって、領域におけるすべてのフェムトアクセスポイント（またはすべての制約されるフェムトアクセスポイント）はフェムトチャネル（単数または複数）上で動作する。最も好ましいシステムをサーチすることは、周期的に繰り返されることができる。好ましいフェムトアクセスポイント７１０を発見すると、アクセス端末７２０は、フェムトアクセスポイント７１０を選択し、そして、そのカバレッジエリア内にあるときの使用のためにそれに関して登録する。
【００６０】
[0069]  フェムトアクセスポイントへのアクセスはいくつかの態様において制約されることができる。例えば、与えられたフェムトアクセスポイントは、あるアクセス端末に対してあるサービスを提供のみすることができる。いわゆる制約された（またはクローズド）アクセスを備えた展開では、与えられたアクセス端末は、マクロセルモバイルネットワークと、定義されたセットのフェムトアクセスポイント（例えば、対応するユーザ家庭７３０内に常駐するフェムトアクセスポイント７１０）によってのみサービス提供されることができる。いくつかの実装では、アクセスポイントは、シグナリング、データアクセス、登録、ページング、あるいはサービス、のうち少なくとも１つを、少なくとも１つのノード（例、アクセス端末）のために、提供しないように制約されることができる。
【００６１】
[0070]  いくつかの態様では、制約されたフェムトアクセスポイント（また、それはクローズド加入者グループホームＮｏｄｅＢと呼ばれることができる）は、制約されるプロビジョンされたセットのアクセス端末に対してサービスを提供するものである。このセットは、必要に応じて、一時的または永久的に拡張されうる。いくつかの態様では、クローズド加入者グループ（ＣＳＧ）は、アクセス端末の共通のアクセス制御リストを共有する１セットのアクセスポイント（例、フェムトアクセスポイント）として定義されることができる。
【００６２】
[0071]  したがって、様々な関係は、与えられたフェムトアクセスポイントと与えられたアクセス端末との間に存在することができる。例えば、アクセス端末という観点から、オープンフェムトアクセスポイントは、制約されないアクセスを備えたフェムトアクセスポイントを指すことができる（例えば、フェムトアクセスポイントは任意のアクセス端末へのアクセスを許可する）。制約されたフェムトアクセスポイントは、ある方式で制約されるフェムトアクセスポイント（例えば、アクセス及び／または登録について制約される）を指すことができる。ホームフェムトアクセスポイントは、アクセス端末がアクセスし動作することが認可されるフェムトアクセスポイントを指すことができる（例えば、永久的なアクセスは、定義されたセットの１つまたは複数のアクセス端末のために提供される）。ハイブリッド（またはゲスト）フェムトアクセスポイントは、異なる複数アクセス端末が異なる複数サービスレベルを提供されるフェムトアクセスポイントを指すことができる（例えば、あるアクセス端末は、部分的な及び／または一時的なアクセスを許可され、他のアクセス端末は全面的なアクセスを許可されうる）。エーリアンフェムトアクセスポイントは、おそらく緊急事態（例、９１１呼び出し）を除いたアクセス端末がアクセスまたは動作することを認可されていないフェムトアクセスポイントを指すことができる。
【００６３】
[0072]  制約されたフェムトアクセスポイントという観点から、ホームアクセス端末は、アクセス端末の所有者の家庭でインストールされた制約されたフェムトアクセスポイントにアクセスすることを認可されるアクセス端末を指すことができる（大抵、ホームアクセス端末はそのフェムトアクセスポイントに対して永久的なアクセスを有する）。ゲストアクセス端末は、制約されたフェムトアクセスポイントへの一時的なアクセスを備えたアクセス端末を指すことができる(例えば、デッドライン、使用時間、バイト、接続カウント、または他の何らかの基準に基づいて制限される)。エーリアンアクセス端末は、９１１呼び出しのようなおそらく緊急事態を除いた、制約されるフェムトアクセスポイントにアクセスする許可を有さないアクセス端末（例えば、制約されたフェムトアクセスポイントで登録するクレデンシャルまたは許可を有さないアクセス端末）を指すことができる。
【００６４】
[0073]  便宜上、上記の説明は、フェムトアクセスポイントの文脈で、ある機能が説明される。しかしながら、ピコアクセスポイントは、より大きなカバレッジエリアに対して同じまたは同様な機能を提供することができるということが理解されるべきである。例えば、ピアアクセスポイントは制約され、ホームピコアクセスポイントは与えられたアクセス端末について定義される等である。
【００６５】
[0074]  ここにおける教示は、複数の無線アクセス端末のための通信を同時にサポートする無線多元接続通信システムにおいて利用されることができる。ここでは、各端末は、順方向リンク及び逆方向リンク上の送信を介して1つまたは複数のアクセスポイントと通信することができる。順方向リンク（あるいはダウンリンク）は、アクセスポイントから端末までの通信リンクを指し、逆方向リンク（あるいはアップリンク）は端末からアクセスポイントまでの通信リンクを指す。この通信リンクは、シングルインプットシングルアウトプットシステム、マルチプルインプットマルチプルアウトプット（ＭＩＭＯ）システム、または他の何らかのタイプのシステム、を介して確立されることができる。
【００６６】
[0075]  ＭＩＭＯシステムは、データ送信のために、マルチプル（ＮＴ）送信アンテナとマルチプル（ＮＲ）受信アンテナを利用する。ＮＴ送信アンテナとＮＲ受信アンテナによって形成されるＭＩＭＯチャネルは、ＮＳ独立チャネルに分解されることができ、そしてそれは、空間チャネルとも呼ばれ、ここでは、ＮＳ≦ｍｉｎ｛ＮＴ，ＮＲ｝である。ＮＳ独立チャネルの各々は、大きさ(a dimension)に対応する。ＭＩＭＯシステムは、マルチプル送信及び受信アンテナによって作成されるさらなる大きさ(dimensionalities)が利用される場合には、改良された性能(例、より高いスループット及び/またはより高い信頼性)を提供することができる。
【００６７】
[0076]  ＭＩＭＯシステムは、時分割デュプレクス（ＴＤＤ）と周波数分割デュプレクス（ＦＤＤ）システムをサポートすることができる。ＴＤＤシステムでは、順方向リンク送信と逆方向リンク送信は同じ周波数領域上にあるので、相互主義(reciprocity principle)は、逆方向リンクチャネルからの順方向リンクチャネルの推定を可能にする。このことは、マルチプルアンテナがアクセスポイントにおいて利用可能であるとき、アクセスポイントが順方向リンク上で送信ビームフォーミング利得を抽出することを可能にする。
【００６８】
[0077]  図９は、サンプルＭＩＭＯシステム９００の無線デバイス９１０（例えば、アクセスポイント）と無線デバイス９５０（例、アクセス端末）を図示する。デバイス９１０で、多数のデータストリームのためのトラヒックデータは、データソース９１２から送信（ＴＸ）データプロセッサ９１４へと提供される。各データストリームは、それぞれの送信アンテナ上で送信されうる。
【００６９】
[0078]  ＴＸデータプロセッサ９１４は、符号化されたデータを提供するためにそのデータストリームについて選択された特定の符号化スキームに基づいて、各データストリームについてのトラヒックデータをフォーマット化し、符号化し、そしてインタリーブする。各データストリームの符号化されたデータは、ＯＦＤＭ技術を使用して、パイロットデータで多重化されることができる。パイロットデータは、既知の方法で処理される一般的には既知データであり、チャネル応答を推定するために受信機システムにおいて使用されることができる。各データストリームについての多重化パイロットおよび符号化データは、変調シンボルを提供するためにそのデータストリームについて選択される特定の変調スキーム（例えば、ＢＰＳＫ、ＱＰＳＫ、Ｍ−ＰＳＫ、またはＭ−ＱＡＭ）に基づいて変調される（すなわち、シンボルマッピングされる）。各データストリームについてのデータレート、符号化および変調は、プロセッサ９３０によって実行される命令によって決定されることができる。データメモリ９３２は、プロセッサ９３０またはデバイス９１０の他のコンポーネントによって使用されるプログラムコード、データ、および他の情報を保存することができる。
【００７０】
[0079]  すべてのデータストリームについての変調シンボルは、ＴＸ ＭＩＭＯプロセッサ９２０に対して提供されることができ、そしてそれは、変調シンボル（例、ＯＦＤＭ用）をさらに処理することができる。ＴＸ ＭＩＭＯプロセッサ９２０は、ＮＴトランシーバ（ＸＣＶＲ）９２２Ａ〜９２２Ｔに対して、ＮＴ変調シンボルストリームを提供する。いくつかの態様では、ＴＸ ＭＩＭＯプロセッサ９２０は、データストリームのシンボルに対して、そしてシンボルが伝送されているアンテナに対して、ビームフォーミング重み付けを適用する。
【００７１】
[0080]  各トランシーバ９２２は、１つまたは複数のアナログ信号を提供するためにそれぞれのシンボルストリームを受信し処理し、ＭＩＭＯチャネル上の送信に適した変調信号を提供するためにアナログ信号をさらに条件づける（例えば、増幅し、フィルタにかけ、そしてアップコンバートする）。トランシーバ９２２Ａ〜９２２ＴからのＮＴ変調信号は、それぞれ、ＮＴアンテナ９２４Ａ〜９２４Ｔから送信される。
【００７２】
[0081]  デバイス９５０では、送信された変調信号は、ＮＲアンテナ９５２Ａ〜９５２Ｒによって受信され、各アンテナ９５２からの受信された信号は、それぞれのトランシーバ（ＸＣＶＲ）９５４Ａ〜９５４Ｒに対して提供される。各トランシーバ９５４は、それぞれの受信信号を条件づけ（例、フィルタにかけて、増幅し、ダウンコンバートし）、サンプルを提供するためにその条件づけられた信号をデジタル化し、対応する「受信された」シンボルストリームを提供するためにサンプルをさらに処理する。
【００７３】
[0082]  受信（ＲＸ）データプロセッサ９６０は、ＮＴ「検出された(detected)」シンボルストリームを提供するために、特定受信機処理技法に基づいて、ＮＲトランシーバ９５４からのＮＲ受信されたシンボルストリームを受信し処理する。ＲＸデータプロセッサ９６０は、データストリームのためのトラヒックデータを回復するために、各検出されたシンボルストリームを復調し、デインタリーブし、復号する。ＲＸデータプロセッサ９６０による処理は、デバイス９１０におけるＴＸデータプロセッサ９１４とＴＸ ＭＩＭＯプロセッサ９２０によって実行されるものの相補である。
【００７４】
[0083]  プロセッサ９７０は、どのプレコーディングマトリクス(precoding matrix)を使用するかを周期的に決定する(下記で記載されている）。プロセッサ９７０は、マトリックスインデックス部分とランク値部分とを備える逆方向リンクメッセージを形成する(formulates)。データメモリ９７２は、プロセッサ９７０またはデバイス９５０の他のコンポーネントによって使用されるプログラムコード、データ、および他の情報を保存することができる。
【００７５】
[0084]  逆方向リンクメッセージは、通信リンク及び／または受信されたデータストリームに関する様々なタイプの情報を備えることができる。逆方向リンクメッセージは、データソース９３６から多数のデータストリームについてのトラヒックデータも受信するＴＸデータプロセッサ９３８によって処理され、変調器９８０によって変調され、トランシーバ９５４ａ〜９５４ｒによって条件づけられ、そして、デバイス９１０に返送されることができる。
【００７６】
[0085]  デバイス９１０では、デバイス９５０からの変調された信号は、アンテナ９２４によって受信され、トランシーバ９２２によって条件付けられ、復調器（ＤＥＭＯＤ）９４０によって復調され、ＲＸデータプロセッサ９４２によって処理されて、デバイス９５０によって送信された逆方向リンクメッセージを抽出する。プロセッサ９３０は、ビームフォーミング重み付けを決定するためにどのプレコーディングマトリクスを使用するかを決定し、抽出されたメッセージを処理する。
【００７７】
[0086]  図９はまた、通信コンポーネントはここに教示されるようなアクセス制御オペレーションを実行する１つまたは複数のコンポーネントを含むことができるということを図示する。例えば、アクセス制御コンポーネント９９０は、プロセッサ９３０及び／またはデバイス９１０の他のコンポーネントと協同して、ここに教示されるようなアクセス制御オペレーションに関連して別のデバイス（例、デバイス９５０）間で信号を送信／受信することができる。同様に、アクセス制御コンポーネント９９２は、プロセッサ９７０及び／またはデバイス９５０の他のコンポーネントと協同して、ここに教示されるようなアクセス制御オペレーションに関連して別のデバイス（例、デバイス９１０）間で信号を送信／受信することができる。各デバイス９１０および９５０については、記述されたコンポーネントのうち２以上の機能が単一のコンポーネントによって提供されることができるということは理解されるべきである。例えば、単一の処理コンポーネントは、アクセス制御コンポーネント９９０およびプロセッサ９３０の機能を提供することができ、単一の処理コンポーネントは、アクセス制御コンポーネント９９２およびプロセッサ９９７の機能を提供することができる。
【００７８】
[0087]  ここにおける教示は、さまざまなタイプの通信システム及び／またはシステムコンポーネントに組み込まれることができる。いくつかの態様では、ここにおける教示は、利用可能なシステムリソースを共有することによって（例えば、帯域幅、伝送パワー、符号化、インターリービングなどのうちの１つまたは複数を指定することによって）、複数のユーザとの通信をサポートすることができる多元接続システムにおいて利用されることができる。例えば、ここにおける教示は、下記の技術、符号分割多重アクセス（ＣＤＭＡ）システム、マルチプルキャリアＣＤＭＡ（ＭＣＣＤＭＡ）、広帯域ＣＤＭＡ（Ｗ−ＣＤＭＡ（登録商標））、高速パケットアクセス（ＨＳＰＡ，ＨＳＰＡ＋）システム、時分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、あるいは他の多元接続技術、のうちいずれか１つまたは組み合わせに適用されることができる。ここにおける教示を利用する無線通信システムは、ＩＳ−９５、ｃｄｍａ２０００、ＩＳ−８５６、Ｗ−ＣＤＭＡ、ＴＤＳＣＤＭＡおよび他の標準規格のような１つまたは複数の標準規格を実装するように設計されることができる。ＣＤＭＡネットワークは、ユニバーサル地上無線アクセス（ＵＴＲＡ）、ｃｄｍａ２０００、あるいは他の何らかの技術のような無線技術を実装することができる。ＵＴＲＡは、Ｗ−ＣＤＭＡおよび低チップレート（ＬＣＲ）を含む。ｃｄｍａ２０００の技術はＩＳ−２０００、ＩＳ−９５、およびＩＳ−８５６標準規格をカバーする。ＴＤＭＡネットワークは、モバイル通信のためのグローバルシステム（ＧＳＭ（登録商標））のような無線技術を実装することができる。ＯＦＤＭＡネットワークは、発展型ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭなどのような無線技術を実装することができる。ＵＴＲＡ、Ｅ−ＵＴＲＡ、およびＧＳＭは、ユニバーサルモバイルテレコミュニケーションシステム（ＵＭＴＳ）の一部である。ここにおける教示は、３ＧＰＰロングタームエボリューション（ＬＴＥ）システム、ウルトラモバイルブロードバンド（ＵＭＢ）システム、及び他のタイプのシステムで実装されることができる。ＬＴＥは、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナーシッププロジェクト」（３ＧＰＰ）と称される団体の文書の中で説明され、ｃｄｍａ２０００は、「第３世代パートナーシッププロジェクト２」（３ＧＰＰ２）と称される団体の文書の中で説明されている。本開示のある態様は３ＧＰＰ用語を使用して説明されているが、ここにおける教示は、３ＧＰＰ（例、Ｒｅ１９９、Ｒｅ１５、Ｒｅ１６、Ｒｅ１７）技術、３ＧＰＰ２（例、１ｘＲＴＴ、１ｘＥＶ−ＤＯルール、ＲｅｖＡ、ＲｅｖＢ）技術、および他の技術に適用されうるということが理解されるべきである。
【００７９】
[0088]  ここにおける教示は、様々な装置（例えば、ノード）に組み込まれることができる（例えば、装置内で実装される、または、装置によって実行される）。いくつかの態様では、ここにおける教示に従って実装されるノード（例えば、無線ノード）は、アクセスポイントまたはアクセス端末を備えることができる。
【００８０】
[0089]  例えば、アクセス端末は、ユーザ機器、加入者局、加入者ユニット、モバイル局、モバイル、モバイルノード、遠隔局、遠隔端末、ユーザ端末、ユーザエージェント、ユーザデバイス、または他の何らかの用語、を備えうる、実装されうる、または、知られうる。いくつかの実装では、アクセス端末は、セルラ電話、コードレス電話、セッションイニシエーションプロトコル（ＳＩＰ）電話、無線ローカルループ（ＷＬＬ）局、携帯情報端末（ＰＤＡ）、モバイル接続機能を有するハンドヘルドデバイス、または無線モデムに接続される他の何らかの適切な処理デバイス、を備えることができる。したがって、ここにおいて教示される１つまたは複数の態様は、電話機（例えば携帯電話またはスマートフォン）、コンピュータ（例えばラップトップ）、ポータブル通信デバイス、ポータブルコンピューティングデバイス（例えば携帯情報端末）、エンタテイメントデバイス（例えばミュージックデバイス、ビデオデバイス、または衛星ラジオ）、グローバルポジショニングシステムデバイス、または無線媒体を介して通信するように構成されるいずれの他の適切なデバイスに組み込まれることができる。
【００８１】
[0090]  アクセスポイントは、ＮｏｄｅＢ、ｅＮｏｄｅＢ、無線ネットワークコントローラ（ＲＮＣ）、基地局（ＢＳ）、無線基地局（ＲＢＳ）、基地局コントローラ（ＢＳＣ）、ベーストランシーバ局（ＢＴＳ）、トランシーバ機能（ＴＦ）、無線トランシーバ、無線ルータ、ベーシックサービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または他の何らかの同様な用語、を備えうる、実装されうる、または、知られうる。
【００８２】
[0091]  いくつかの態様では、ノード(例えば、アクセスポイント)は、通信システムのためのアクセスノードを備えることができる。このようなアクセスノードは、例えば、ネットワークへの有線または無線の通信リンクを介して、ネットワークのために、またはネットワークに対して(例えば、インターネットまたはセルラネットワークのような広域ネットワーク)を提供することができる。したがって、アクセスノードは、別のノード(例えば、アクセス端末)がネットワークまたは他の何らかの機能にアクセスすることを可能にすることができる。さらに、複数ノードのうち１つまたは双方はポータブルであってもよく、ある場合においては、相対的に非ポータブルであってもよい、ということは理解されるべきである。
【００８３】
[0092]  また、無線ノードは非無線方式で（例えば、有線接続を介して）情報を送信及び/または受信することができる、ということは理解されるべきである。したがって、ここに説明されるような受信機および送信機は、非無線媒体を介して通信するために適切な通信インタフェースコンポーネント(例えば、電気的または光学のインタフェースコンポーネント)を含むことができる。
【００８４】
[0093]  無線ノードは、いずれの適切な無線通信技術に基づいている、または、そうでない場合にはいずれの適切な無線通信技術をサポートする、１つまたは複数の無線通信リンクを介して通信することができる。例えば、いくつかの態様では、無線ノードはネットワークと関連づけることができる。いくつかの態様では、ネットワークは、ローカルエリアネットワークまたは広域ネットワークを備えることができる。無線デバイスは、ここに説明されるもののような様々な無線通信技術、プロトコル、または標準規格（例えば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートする、または、そうでない場合には、使用することができる。同様に、無線ノードは、様々な対応する変調または多重スキームのうちの１つまたは複数をサポートする、そうでない場合には、使用することができる。したがって、無線ノードは、上記の、または、他の無線通信技術を使用して１つまたは複数の無線通信リンクを介して確立し通信する適切なコンポーネント(例、無線インタフェース)を含むことができる。例えば、無線ノードは、無線媒体上の通信を容易にする様々なコンポーネント(例えば信号発生器と信号プロセッサ)を含むことができる、関連づけられた送信機及び受信機コンポーネントを備えた無線トランシーバを備えることができる。
【００８５】
[0094]  ここに説明される機能(例えば、図の１つまたは複数に関する)は、特許請求の範囲において同様に指定される「のための手段(means for)」にいくつかの態様において対応することができる。図１０−１３を参照すると、装置１０００、１１００、１２００、そして１３００は、一連の相互に関連のある機能モジュールとして表される。ここでは、インジケーション生成ジュール１００２は、ここに説明されるような例えばアクセス制御コントローラに少なくともいくつかの態様において対応することができる。インジケーション送信モジュール１００４は、ここに説明されるような例えば通信コントローラに少なくともいくつかの態様において対応することができる。インジケーション受信モジュール１１０２は、ここに説明されるような例えば通信コントローラに少なくともいくつかの態様において対応することができる。アクセス制御決定モジュール１１０４は、ここに説明されるような例えばアクセスコントローラに少なくともいくつかの態様において対応することができる。情報包含決定モジュール１２０２は、ここに説明されるような例えばアクセス制御コントローラに少なくともいくつかの態様において対応することができる。メッセージ送信モジュール１２０４は、ここに説明されるような例えば通信コントローラに少なくともいくつかの態様において対応することができる。メッセージ受信モジュール１３０２は、ここに説明されるような例えば通信コントローラに少なくともいくつかの態様において対応することができる。アクセス制御決定モジュール１３０４は、ここに説明されるような例えばアクセスコントローラに少なくともいくつかの態様において対応することができる。
【００８６】
[0095]  図１０−１３の機能は、ここにおける教示と一貫して様々な方法で実装されることができる。いくつかの態様では、これらのモジュールの機能は、１つまたは複数の電子コンポーネントとして実装されることができる。いくつかの態様では、これらのブロックの機能は、１つまたは複数のプロセッサコンポーネントを含んでいる処理システムとして実装されることができる。いくつかの態様では、これらのモジュールの機能は、例えば、１つまたは複数の集積回路（例えば、ＡＳＩＣ）の少なくとも一部分を使用して実装されることができる。ここに説明されるように、集積回路は、プロセッサ、ソフトウェア、他の関連コンポーネント、またはそれらのいくつかの組み合わせを含むことができる。これらのモジュールの機能はまた、ここに教示されるようないくつかの他の方式で実装されうる。いくつかの態様では、図１０−１３のいずれの点線ブロックのうち１つまたは複数はオプションである。
【００８７】
[0096]  「第１の」、「第２の」、などのような指定を使用しているここにおけるエレメントへのいずれの言及も、これらのエレメントの量または順序を一般的に制限しないということが理解されるべきである。むしろ、これらの指定は、２以上のエレメントあるいはエレメントの複数例を区別する便利な方法として、ここでは使用されることができる。したがって、第１及び第２のエレメントに対する参照は、２つのエレメントのみがここで利用されうるということ、あるいは、第１のエレメントがある方式で第２のエレメントに先立たなくてはならないということ、を意味していない。また、述べられていない限り、１セットのエレメントは、１つまたは複数のエレメントを備えることができる。さらに、本願の明細書または請求項の中で使用される「Ａ，Ｂ，またはＣのうちの少なくとも１つ(at least one of: A, B, or C)」という形式の用語は、「ＡまたはＢまたはＣまたはこれらのエレメントのいずれの組み合わせ(A or B or C or any combination of these elements)」を意味する。
【００８８】
[0097]  当業者は、様々な異なる技法および技術のうちのいずれかを使用して、情報および信号が表わされることができるということを理解するであろう。例えば、上記の説明の全体にわたって参照されうる、データ、命令、コマンド、情報、信号、ビット、シンボル、及びチップは、電圧、電流、電磁波、磁場あるいは磁粒子、光場あるいは光学粒子、あるいはそれらのいずれの組み合わせ、で表わされることができる。
【００８９】
[0098]  当業者はさらに、ここにおいて開示される態様に関連して説明される、様々な説明のための論理ブロック、モジュール、プロセッサ、手段、回路、そして、アルゴリズムステップのいずれかは、電子ハードウェア(例、デジタル実装、アナログ実装、または、２つの組み合わせ、そして、それはソースコーディングまたは他の何らかの技術を使用して設計されうる)、命令を組み込んでいる様々な形態のプログラムまたは設計コード(ここでは、便宜上、「ソフトウェア」または「ソフトウェアモジュール」と呼ばれる)または、両方の組み合わせ、として実装されうるということを理解するであろう。ハードウェアとソフトウェアのこの互換性を明瞭に説明するために、説明のための様々なコンポーネント、ブロック、モジュール、回路、及びステップが、一般的に、それらの機能性という観点から、上記で説明されてきた。そのような機能性が、ハードウェアあるいはソフトウェアとして実装されるかどうかは、特定のアプリケーションと全体のシステムに課された設計制約(design constraints)によって決まる。熟練職人は、各特定のアプリケーションについての様々な方法で、説明された機能性を実装することができるが、そのような実装の決定は、本発明の範囲からの逸脱を生じさせるものとして解釈されるべきでない。
【００９０】
[0099]  ここにおいて開示される態様に関連して説明される、様々な説明のための論理ブロック、モジュール、および回路は、集積回路（ＩＣ）、アクセス端末、または、アクセスポイント内でインプリメントまたは実行されることができる。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）あるいは他のプログラマブル論理デバイス、ディスクリートゲートあるいはトランジスタロジック、ディスクリートハードウェアコンポーネント、電子コンポーネント、光学コンポーネント、メカニカルコンポーネント、あるいは、ここに説明される機能を実行するように設計されたそれらのいずれの組み合わせ、を備えることができ、そして、ＩＣ内で、ＩＣの外で、あるいは両方で、常駐するコードあるいは命令を実施することができる。汎用プロセッサは、マイクロプロセッサであってもよいが、代替として、プロセッサは、任意の従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、として実装されることができる。
【００９１】
[00100]  いずれの開示されるプロセスにおけるステップのいずれの特定の順序または階層はサンプルアプローチの例であるということは理解される。設計の優先度に基づいて、プロセスにおけるステップの特定の順序または階層は、本開示の範囲内にありながら、再配列されることができる(rearranged)ということは、理解される。方法の請求項は、サンプル順序における様々なステップのエレメントを表わし、示されている特定の順序または階層に限定されるように意味していない。
【００９２】
[00101]  １つまたは複数の例示的な実施形態では、説明される機能は、ハードウェア、ソフトウェア、ファームウェアあるいはそれらのいずれかの組み合わせにおいて実装されることができる。ソフトウェアで実装される場合には、機能は、コンピュータ可読媒体上で、1つまたは複数の命令またはコードとして、記憶または伝送されることができる。コンピュータ可読媒体は、ある場所から別の場所へのコンピュータプログラムの転送(transfer)を容易にするいずれの媒体も含んでいる、コンピュータ記憶媒体(computer storage media)と通信媒体(communication media)の両方を含む。記憶媒体は、コンピュータによってアクセスされることができる、いずれの利用可能な媒体であることができる。限定されないが例として、このようなコンピュータ可読媒体は、ＲＡＭ、ＲＯＭ、ＥＥＰＲＯＭ、ＣＤ−ＲＯＭあるいは他の光学ディスクストレージ、磁気ディスクストレージまたは他の磁気ストレージデバイス、または、命令あるいはデータ構造の形態で望ましいプログラムコードを保存あるいは搬送するために使用されることができる、また、コンピュータによってアクセスされることができる、いずれの他の媒体も備えることができる。また、いずれの接続(connection)もコンピュータ可読媒体(computer-readable medium)と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)(ＤＳＬ)、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、媒体(medium)の定義に含まれる。ここに使用されるように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)（
ＤＶＤ）、フロッピー(登録商標)ディスク(disk)およびブルーレイディスク(blu-ray（登録商標） disc)を含み、「ディスク(disks)」は、大抵、データを磁気で再生し、「ディスク(discs)」は、レーザーで光学的に再生する。上記のものの組み合わせも、また、コンピュータ可読媒体の範囲内に含まれるべきである。コンピュータ可読媒体は、いずれの適切なコンピュータプログラム製品において実装されることができるということは理解されるべきである。
【００９３】
[00102]  開示される態様の前述の説明は、当業者が本開示を行うまたは使用することを可能にするように提供される。これらの態様への様々な修正は、当業者にとっては容易に明らかであろう、そして、ここにおいて定義された包括的な原理は、本開示の範囲から逸脱することなく、他の態様に対して適用されうる。したがって、本開示は、ここに示された実施形態に限定されるようには意図されておらず、ここに開示された原理および新規な特徴に整合する最も広い範囲が与えられるべきである。
【図１】
2014112868.tif 000003
【図２】
2014112868.tif 000004
【図３】
2014112868.tif 000005
【図４】
2014112868.tif 000006
【図５】
2014112868.tif 000007
【図６】
2014112868.tif 000008
【図７】
2014112868.tif 000009
【図８】
2014112868.tif 000010
【図９】
2014112868.tif 000011
【図１０】
2014112868.tif 000012
【図１１】
2014112868.tif 000013
【図１２】
2014112868.tif 000014
【図１３】
2014112868.tif 000015
【手続補正書】
【提出日】平成26年1月22日(2014.1.22)
【手続補正１】
【補正対象書類名】特許請求の範囲
【補正対象項目名】全文
【補正方法】変更
【補正の内容】
【特許請求の範囲】
【請求項１】
下記を備える通信の方法：
定義されたセットのアクセス端末に対して特定のサービスへの制約されたアクセスを有するように構成されたアクセスポイントによって、アクセス端末と通信すること；
前記アクセス端末についてのアクセス制御を実行するためにネットワークエンティティを識別すること；
第１のネットワークエンティティに対して第１のアクセス制御インジケーションを備えた第１のメッセージを送ること、なお、前記第１のアクセス制御インジケーションは、前記識別されたネットワークエンティティに基づく；および
第２のネットワークエンティティに対して第２のアクセス制御インジケーションを備えた第２のメッセージを送ること、なお、前記第２のアクセス制御インジケーションは、前記識別されたネットワークエンティティに基づき、かつ、前記第１のアクセス制御インジケーションと異なる。
【請求項２】
前記第１のアクセス制御インジケーションおよび前記第２のアクセス制御インジケーションのうちの少なくとも１つは、前記第１のネットワークエンティティまたは前記第２のネットワークエンティティが前記アクセス制御を実行するということ、または、前記アクセス制御を実行しないということ、を明示的に示す、請求項１に記載の方法。
【請求項３】
前記第１のアクセス制御インジケーションおよび前記第２のアクセス制御インジケーションのうちの少なくとも１つは、メッセージにおける情報エレメントである、請求項２に記載の方法。
【請求項４】
前記第１のアクセス制御インジケーションおよび前記第２のアクセス制御インジケーションのうちの少なくとも１つは、ブールタイプまたはエニュメレートタイプである、請求項２に記載の方法。
【請求項５】
前記第２のネットワークエンティティに対して前記第２のアクセス制御インジケーションを前記送ることは、前記第２のネットワークエンティティへ前記インジケーションを転送するゲートウェイに対して前記第２のアクセス制御インジケーションを送ることを備える、請求項１に記載の方法。
【請求項６】
前記ゲートウェイは、ホームＮｏｄｅＢゲートウェイまたはホームｅＮｏｄｅＢゲートウェイを備える、請求項５に記載の方法。
【請求項７】
前記第１のアクセス制御インジケーションおよび前記第２のアクセス制御インジケーションのうちの少なくとも１つは、初期ＵＥメッセージを介して送られる、請求項１に記載の方法。
【請求項８】
前記ネットワークエンティティは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、請求項１に記載の方法。
【請求項９】
前記アクセスポイントは、前記アクセス端末がクローズド加入者グループをサポートするかどうかを示す前記アクセス端末から受信された情報に基づいて前記第１のアクセス制御インジケーションおよび前記第２のアクセス制御インジケーションのうちの少なくとも１つを生成する、請求項１に記載の方法。
【請求項１０】
前記アクセスポイントは、ホームＮｏｄｅＢ、ホームｅＮｏｄｅＢ、無線ネットワークコントローラ、または、クローズド加入者グループセルを備える、請求項１に記載の方法。
【請求項１１】
前記第１のアクセス制御インジケーションおよび前記第２のアクセス制御インジケーションのうちの少なくとも１つは、ＵＥレジスタリクエストメッセージを介して送られる、請求項１に記載の方法。
【請求項１２】
下記を備える通信のための装置：
定義されたセットのアクセス端末に対して特定のサービスへの制約されたアクセスを有するように構成されたアクセスポイントによって、アクセス端末と通信するように構成されたトランシーバ；
前記アクセス端末についてのアクセス制御を実行するためにネットワークエンティティを識別するように構成されて、中央処理ユニットを含むプロセッサを備えたアクセス制御コントローラ；および、
通信コントローラであって、
第１のネットワークエンティティに対して第１のアクセス制御インジケーションを備えた第１のメッセージを送り、なお、前記第１のアクセス制御インジケーションは、前記識別されたネットワークエンティティに基づく、および
第２のネットワークエンティティに対して第２のアクセス制御インジケーションを備えた第２のメッセージを送る、なお、前記第２のアクセス制御インジケーションは、前記識別されたネットワークエンティティに基づき、かつ、前記第１のアクセス制御インジケーションと異なる、
ように構成された通信コントローラ。
【請求項１３】
前記第１のアクセス制御インジケーションおよび前記第２のアクセス制御インジケーションのうちの少なくとも１つは、前記第１のネットワークエンティティまたは前記第２のネットワークエンティティが前記アクセス制御を実行するということ、または、前記アクセス制御を実行しないということ、を明示的に示す、請求項１２に記載の装置。
【請求項１４】
前記アクセス制御コントローラは、前記アクセス端末がクローズド加入者グループをサポートするどうかを示す前記アクセス端末から受信された情報に基づいて前記第１のアクセス制御インジケーションおよび前記第２のアクセス制御インジケーションのうちの少なくとも１つを生成するようにさらに構成される、請求項１２に記載の装置。
【請求項１５】
前記通信コントローラは、前記第１のアクセス制御インジケーションおよび前記第２のアクセス制御インジケーションのうちの少なくとも１つを、ＵＥレジスタリクエストメッセージを介して送るようにさらに構成される、請求項１２に記載の装置。
【請求項１６】
前記通信コントローラは、前記第１のアクセス制御インジケーションおよび前記第２のアクセス制御インジケーションのうちの少なくとも１つを、初期ＵＥメッセージを介して送るようにさらに構成される、請求項１２に記載の装置。
【請求項１７】
下記手段を備える通信のための装置：
定義されたセットのアクセス端末に対して特定のサービスへの制約されたアクセスを有するように構成されたアクセスポイントによって、アクセス端末と通信するための手段；
前記アクセス端末についてのアクセス制御を実行するためにネットワークエンティティを識別するための手段；
第１のネットワークエンティティに対して第１のアクセス制御インジケーションを備えた第１のメッセージを送るための手段、なお、前記第１のアクセス制御インジケーションは、前記識別されたネットワークエンティティに基づく；および
第２のネットワークエンティティに対して第２のアクセス制御インジケーションを備えた第２のメッセージを送るための手段、なお、前記第２のアクセス制御インジケーションは、前記識別されたネットワークエンティティに基づき、かつ、前記第１のアクセス制御インジケーションと異なる。
【請求項１８】
前記第１のアクセス制御インジケーションおよび前記第２のアクセス制御インジケーションのうちの少なくとも１つは、前記第１のネットワークエンティティまたは前記第２のネットワークエンティティが前記アクセス制御を実行するということ、または、前記アクセス制御を実行しないということ、を明示的に示す、請求項１７に記載の装置。
【請求項１９】
前記アクセス端末がクローズド加入者グループをサポートするかどうかを示す前記アクセス端末から受信された情報に基づいて前記第１のアクセス制御インジケーションおよび前記第２のアクセス制御インジケーションのうちの少なくとも１つを生成するための手段をさらに備える、請求項１７に記載の装置。
【請求項２０】
前記第１のアクセス制御インジケーションを送るための前記手段および前記第２のアクセス制御インジケーションを送るための前記手段のうちの少なくとも１つは、ＵＥレジスタリクエストメッセージを介して送るための手段を備える、請求項１７に記載の装置。
【請求項２１】
前記第１のアクセス制御インジケーションを送るための前記手段および前記第２のアクセス制御インジケーションを送るための前記手段のうちの少なくとも１つは、初期ＵＥメッセージを介して送るための手段を備える、請求項１７に記載の装置。
【請求項２２】
下記のコードを備えるコンピュータ可読記憶媒体：
コンピュータに、定義されたセットのアクセス端末に対して特定のサービスへの制約されたアクセスを有するように構成されたアクセスポイントによって、アクセス端末と通信させるためのコード；
コンピュータに、前記アクセス端末についてのアクセス制御を実行するためにネットワークエンティティを識別させるためのコード；
コンピュータに、第１のネットワークエンティティに対して第１のアクセス制御インジケーションを備えた第１のメッセージを送らせるためのコード、なお、前記第１のアクセス制御インジケーションは、前記識別されたネットワークエンティティに基づく；および、
コンピュータに、第２のネットワークエンティティに対して第２のアクセス制御インジケーションを備えた第２のメッセージを送らせるためのコード、なお、前記第２のアクセス制御インジケーションは、前記識別されたネットワークエンティティに基づき、かつ、前記第１のアクセス制御インジケーションと異なる。
【請求項２３】
前記第１のアクセス制御インジケーションおよび前記第２のアクセス制御インジケーションのうちの少なくとも１つは、前記第１のネットワークエンティティまたは前記第２のネットワークエンティティが前記アクセス制御を実行するということ、または、前記アクセス制御を実行しないということ、を明示的に示す、請求項２２に記載のコンピュータ可読記憶媒体。
【請求項２４】
コンピュータに、前記アクセス端末がクローズド加入者グループをサポートするかどうかを示す前記アクセス端末から受信された情報に基づいて前記第１のアクセス制御インジケーションおよび前記第２のアクセス制御インジケーションのうちの少なくとも１つを生成させるためのコードをさらに備える、請求項２２に記載のコンピュータ可読記憶媒体。
【請求項２５】
前記第１のアクセス制御インジケーションおよび前記第２のアクセス制御インジケーションのうちの少なくとも１つは、ＵＥレジスタリクエストメッセージを介して送られる、請求項２２に記載のコンピュータ可読記憶媒体。
【請求項２６】
前記第１のアクセス制御インジケーションおよび前記第２のアクセス制御インジケーションのうちの少なくとも１つは、初期ＵＥメッセージを介して送られる、請求項２２に記載のコンピュータ可読記憶媒体。
【請求項２７】
下記を備える通信の方法：
アクセスポイントから、定義されたセットのアクセス端末に対して特定のサービスへの制約されたアクセスを有するように構成されたネットワークエンティティへ、第２のアクセス制御インジケーションを転送するゲートウェイから、前記インジケーションを備えた第２のメッセージを第２のネットワークエンティティにおいて受信すること、なお、前記第２のアクセス制御インジケーションは、初期ＵＥメッセージを介して受信され、識別されたネットワークエンティティに基づいており、前記第２のネットワークエンティティがアクセス端末についてのアクセス制御を実行すべきかどうかを示し、前記第２のアクセス制御インジケーションは、第１のネットワークエンティティのための第１のメッセージ中に含まれる第１のアクセス制御インジケーションと異なる；および、
前記受信された第２のアクセス制御インジケーションに基づいて前記アクセス端末についてのアクセス制御を実行すべきか否かを前記第２のネットワークエンティティにおいて決定すること。
【請求項２８】
前記アクセス制御を実行すべきかどうかを決定することは、前記第２のネットワークエンティティが前記アクセス制御を実行するということを前記第２のアクセス制御インジケーションが明示的に示す場合には前記アクセス制御を実行すること、または、前記第２のネットワークエンティティが前記アクセス制御を実行しないということを前記第２のアクセス制御インジケーションが明示的に示す場合には前記アクセス制御を実行しないこと、を備える、請求項２７に記載の方法。
【請求項２９】
前記第１のアクセス制御インジケーションおよび前記第２のアクセス制御インジケーションのうちの少なくとも１つは、メッセージにおける情報エレメントである、請求項２８に記載の方法。
【請求項３０】
前記第１のアクセス制御インジケーションおよび前記第２のアクセス制御インジケーションのうちの少なくとも１つは、ブールタイプまたはエニュメレートタイプである、請求項２８に記載の方法。
【請求項３１】
前記アクセスポイントからの前記第２のアクセス制御インジケーションを前記受信することは、前記アクセスポイントから前記第２のネットワークエンティティへ前記第２のアクセス制御インジケーションを転送するゲートウェイから、前記第２のアクセス制御インジケーションを受信することを備える、請求項２７に記載の方法。
【請求項３２】
前記ゲートウェイは、ホームＮｏｄｅＢゲートウェイまたはホームｅＮｏｄｅＢゲートウェイを備える、請求項３１に記載の方法。
【請求項３３】
前記第２のアクセス制御インジケーションは、初期ＵＥメッセージを介して送られる、請求項２７に記載の方法。
【請求項３４】
前記第１のネットワークエンティティおよび前記第２のネットワークエンティティのうちの少なくとも１つは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、請求項２７に記載の方法。
【請求項３５】
前記アクセスポイントは、ホームＮｏｄｅＢ、ホームｅＮｏｄｅＢ、無線ネットワークコントローラ、または、クローズド加入者グループセルを備える、請求項２７に記載の方法。
【請求項３６】
前記第１のアクセス制御インジケーションおよび前記第２のアクセス制御インジケーションのうちの少なくとも１つは、ＵＥレジスタリクエストメッセージを介して受信される、請求項２７に記載の方法。
【請求項３７】
下記を備える通信のための装置：
アクセスポイントから、定義されたセットのアクセス端末に対して特定のサービスへの制約されたアクセスを有するように構成されたネットワークエンティティへ、第２のアクセス制御インジケーションを転送するゲートウェイから、前記インジケーションを備えた第２のメッセージを第２のネットワークエンティティにおいて受信するように構成されて、中央処理ユニットを含むプロセッサを備えた通信コントローラ、ここにおいて、前記第２のアクセス制御インジケーションは、初期ＵＥメッセージを介して受信され、識別されたネットワークエンティティに基づいており、前記第２のネットワークエンティティがアクセス端末についてのアクセス制御を実行すべきかどうかを示し、前記第２のアクセス制御インジケーションは、第１のネットワークエンティティのための第１のメッセージ中に含まれる第１のアクセス制御インジケーションと異なる；および、
前記受信された第２のアクセス制御インジケーションに基づいて前記アクセス端末についてのアクセス制御を実行すべきか否かを決定するように構成されたアクセスコントローラ。
【請求項３８】
前記アクセス制御を実行するかどうかということを決定することは、前記第２のネットワークエンティティが前記アクセス制御を実行するということを前記第２のアクセス制御インジケーションが明示的に示す場合には前記アクセス制御を実行すること、または、前記第２のネットワークエンティティが前記アクセス制御を実行しないということを前記第２のアクセス制御インジケーションが明示的に示す場合には前記アクセス制御を実行しないこと、を備える、請求項３７に記載の装置。
【請求項３９】
前記第１のネットワークエンティティおよび前記第２のネットワークエンティティのうちの少なくとも１つは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、請求項３７に記載の装置。
【請求項４０】
前記第１のアクセス制御インジケーションおよび前記第２のアクセス制御インジケーションのうちの少なくとも１つは、ＵＥレジスタリクエストメッセージを介して受信される、請求項３７に記載の装置。
【請求項４１】
前記第２のアクセス制御インジケーションは、初期ＵＥメッセージを介して受信される、請求項３７に記載の装置。
【請求項４２】
下記手段を備える通信のための装置：
アクセスポイントから、定義されたセットのアクセス端末に対して特定のサービスへの制約されたアクセスを有するように構成されたネットワークエンティティへ、第２のアクセス制御インジケーションを転送するゲートウェイから、前記インジケーションを備えた第２のメッセージを第２のネットワークエンティティにおいて受信するための手段、ここにおいて、前記第２のアクセス制御インジケーションは、初期ＵＥメッセージを介して受信され、識別されたネットワークエンティティに基づいており、前記第２のネットワークエンティティがアクセス端末についてのアクセス制御を実行すべきかどうかを示し、前記第２のアクセス制御インジケーションは、第１のネットワークエンティティのための第１のメッセージ中に含まれる第１のアクセス制御インジケーションと異なる；
前記受信された第２のアクセス制御インジケーションに基づいて前記アクセス端末についてのアクセス制御を実行するかどうかを前記第２のネットワークエンティティにおいて決定するための手段。
【請求項４３】
前記アクセス制御を実行するかどうかということを決定することは、前記第２のネットワークエンティティが前記アクセス制御を実行するということを前記第２のアクセス制御インジケーションが明示的に示す場合には前記アクセス制御を実行すること、または、前記第２のネットワークエンティティが前記アクセス制御を実行しないということを前記第２のアクセス制御インジケーションが明示的に示す場合には前記アクセス制御を実行しないこと、を備える、請求項４２に記載の装置。
【請求項４４】
前記第１のネットワークエンティティおよび前記第２のネットワークエンティティのうちの少なくとも１つは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、請求項４２に記載の装置。
【請求項４５】
前記第１のアクセス制御インジケーションおよび前記第２のアクセス制御インジケーションのうちの少なくとも１つは、ＵＥレジスタリクエストメッセージを介して受信される、請求項４２に記載の装置。
【請求項４６】
前記第２のアクセス制御インジケーションは、初期ＵＥメッセージを介して受信される、請求項４２に記載の装置。
【請求項４７】
下記のコードを備えるコンピュータ可読記憶媒体：
コンピュータに、アクセスポイントから、定義されたセットのアクセス端末に対して特定のサービスへの制約されたアクセスを有するように構成されたネットワークエンティティへ、第２のアクセス制御インジケーションを転送するゲートウェイから、前記インジケーションを備えた第２のメッセージを第２のネットワークエンティティにおいて受信させるためのコード、ここにおいて、前記第２のアクセス制御インジケーションは、初期ＵＥメッセージを介して受信され、識別されたネットワークエンティティに基づいており、前記第２のネットワークエンティティがアクセス端末についてのアクセス制御を実行すべきかどうかを示し、前記第２のアクセス制御インジケーションは、第１のネットワークエンティティのための第１のメッセージ中に含まれる第１のアクセス制御インジケーションと異なる；および、
コンピュータに、前記受信された第２のアクセス制御インジケーションに基づいて前記アクセス端末についてのアクセス制御を実行するか否かを決定させるためのコード。
【請求項４８】
前記アクセス制御を実行するかどうかということを決定することは、前記第２のネットワークエンティティが前記アクセス制御を実行するということを前記第２のアクセス制御インジケーションが明示的に示す場合には前記アクセス制御を実行すること、または、前記第２のネットワークエンティティが前記アクセス制御を実行しないということを前記第２のアクセス制御インジケーションが明示的に示す場合には前記アクセス制御を実行しないこと、を備える、請求項４７に記載のコンピュータ可読記憶媒体。
【請求項４９】
前記第１のネットワークエンティティおよび前記第２のネットワークエンティティのうちの少なくとも１つは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、請求項４７に記載のコンピュータ可読記憶媒体。
【請求項５０】
前記第１のアクセス制御インジケーションおよび前記第２のアクセス制御インジケーションのうちの少なくとも１つは、ＵＥレジスタリクエストメッセージを介して受信される、請求項４７に記載のコンピュータ可読記憶媒体。
【請求項５１】
前記第２のアクセス制御インジケーションは、初期ＵＥメッセージを介して受信される、請求項４７に記載のコンピュータ可読記憶媒体。
【手続補正２】
【補正対象書類名】明細書
【補正対象項目名】００９３
【補正方法】変更
【補正の内容】
【００９３】
[00102]  開示される態様の前述の説明は、当業者が本開示を行うまたは使用することを可能にするように提供される。これらの態様への様々な修正は、当業者にとっては容易に明らかであろう、そして、ここにおいて定義された包括的な原理は、本開示の範囲から逸脱することなく、他の態様に対して適用されうる。したがって、本開示は、ここに示された実施形態に限定されるようには意図されておらず、ここに開示された原理および新規な特徴に整合する最も広い範囲が与えられるべきである。
以下に、本願出願の当初の特許請求の範囲に記載された発明を付記する。
［Ｃ１］  下記を備える通信の方法：
アクセスポイントにおいてインジケーションを生成すること、ここにおいて、前記インジケーションは、ネットワークエンティティがアクセス端末についてのアクセス制御を実行すべきかどうかを示す；および、
前記ネットワークエンティティに対して前記インジケーションを送ること。
［Ｃ２］  前記インジケーションは、前記ネットワークエンティティが前記アクセス制御を実行するということ、または、前記アクセス制御を実行しないということ、を明示的に示す、Ｃ１に記載の方法。
［Ｃ３］  前記インジケーションは、メッセージにおける情報エレメントである、Ｃ２に記載の方法。
［Ｃ４］  前記インジケーションは、ブールタイプまたはエニュメレートタイプである、Ｃ２に記載の方法。
［Ｃ５］  前記ネットワークエンティティは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、Ｃ１に記載の方法。
［Ｃ６］  前記アクセスポイントは、前記アクセス端末がクローズド加入者グループであるかどうかを示す前記アクセス端末から受信された情報に基づいて前記インジケーションを生成する、Ｃ１に記載の方法。
［Ｃ７］  前記アクセスポイントは、無線ネットワークと関連づけられる定義されたサブセットのアクセス端末へのアクセスを制約する、Ｃ１に記載の方法。
［Ｃ８］  前記アクセスポイントは、ホームＮｏｄｅＢ、ホームｅＮｏｄｅＢ、無線ネットワークコントローラ、または、クローズド加入者グループセルを備える、Ｃ１に記載の方法。
［Ｃ９］  前記インジケーションは、初期ＵＥメッセージを介して送られる、Ｃ１に記載の方法。
［Ｃ１０］  前記インジケーションは、ＵＥレジスタリクエストメッセージを介して送られる、Ｃ１に記載の方法。
［Ｃ１１］  前記ネットワークエンティティに対して前記インジケーションを送信することは、前記ネットワークエンティティへ前記インジケーションを転送するゲートウェイに対して前記インジケーションを送ることを備える、Ｃ１に記載の方法。
［Ｃ１２］  前記ゲートウェイは、ホームＮｏｄｅＢゲートウェイまたはホームｅＮｏｄｅＢゲートウェイを備える、Ｃ１１に記載の方法。
［Ｃ１３］  下記を備える通信のための装置：
アクセスポイントにおいてインジケーションを生成するように構成されたアクセス制御コントローラ、なお、前記インジケーションは、ネットワークエンティティがアクセス端末についてのアクセス制御を実行すべきかどうかを示す；および、
前記ネットワークエンティティに対して前記インジケーションを送るように構成された通信コントローラ。
［Ｃ１４］  前記インジケーションは、前記ネットワークエンティティが前記アクセス制御を実行するということ、または、前記アクセス制御を実行しないということ、を明示的に示す、Ｃ１３に記載の装置。
［Ｃ１５］  前記アクセスポイントは、前記アクセス端末がクローズド加入者グループであるかどうかを示す前記アクセス端末から受信された情報に基づいて前記インジケーションを生成する、Ｃ１３に記載の装置。
［Ｃ１６］  前記インジケーションは、初期ＵＥメッセージを介して送られる、Ｃ１３に記載の装置。
［Ｃ１７］  前記インジケーションは、ＵＥレジスタリクエストメッセージを介して送られる、Ｃ１３に記載の装置。
［Ｃ１８］  下記手段を備える通信のための装置：
アクセスポイントにおいてインジケーションを生成するための手段、ここにおいて、前記インジケーションは、ネットワークエンティティがアクセス端末についてのアクセス制御を実行すべきかどうかを示す；
前記ネットワークエンティティに対して前記インジケーションを送るための手段。
［Ｃ１９］  前記インジケーションは、前記ネットワークエンティティが前記アクセス制御を実行するということ、または、前記アクセス制御を実行しないということ、を明示的に示す、Ｃ１８に記載の装置。
［Ｃ２０］  前記アクセスポイントは、前記アクセス端末がクローズド加入者グループであるかどうかを示す前記アクセス端末から受信された情報に基づいて前記インジケーションを生成する、Ｃ１８に記載の装置。
［Ｃ２１］  前記インジケーションは、初期ＵＥメッセージを介して送られる、Ｃ１８に記載の装置。
［Ｃ２２］  前記インジケーションは、ＵＥレジスタリクエストメッセージを介して送られる、Ｃ１８に記載の装置。
［Ｃ２３］  コンピュータプログラム製品であって、コンピュータ可読媒体を備え、前記コンピュータ可読媒体は、下記のコードを備えるコンピュータプログラム製品：
コンピュータに、アクセスポイントにおいてインジケーションを生成させるためのコード、ここにおいて、前記インジケーションは、ネットワークエンティティがアクセス端末についてのアクセス制御を実行すべきかどうかを示す；および、
コンピュータに、前記ネットワークエンティティに対して前記インジケーションを送らせるためのコード。
［Ｃ２４］  前記インジケーションは、前記ネットワークエンティティが前記アクセス制御を実行するということ、または、前記アクセス制御を実行しないということ、を明示的に示す、Ｃ２３に記載のコンピュータプログラム製品。
［Ｃ２５］  前記アクセスポイントは、前記アクセス端末がクローズド加入者グループであるかどうかを示す前記アクセス端末から受信された情報に基づいて前記インジケーションを生成する、Ｃ２３に記載のコンピュータプログラム製品。
［Ｃ２６］  前記インジケーションは、初期ＵＥメッセージを介して送られる、Ｃ２３に記載のコンピュータプログラム製品。
［Ｃ２７］  前記インジケーションは、ＵＥレジスタリクエストメッセージを介して送られる、Ｃ２３に記載のコンピュータプログラム製品。
［Ｃ２８］  下記を備える通信の方法：
ネットワークエンティティにおいてアクセスポイントからインジケーションを受信すること、なお、前記インジケーションは、前記ネットワークエンティティがアクセス端末についてのアクセス制御を実行すべきかどうかを示す；および、
前記受信されたインジケーションに基づいて前記アクセス端末についてのアクセス制御を実行すべきかどうかを決定すること。
［Ｃ２９］  前記アクセス制御を実行すべきかどうかを決定することは、前記ネットワークエンティティが前記アクセス制御を実行するということを前記インジケーションが明示的に示す場合には前記アクセス制御を実行すること、または、前記ネットワークエンティティが前記アクセス制御を実行しないということを前記インジケーションが明示的に示す場合には前記アクセス制御を実行しないこと、を備える、Ｃ２８に記載の方法。
［Ｃ３０］  前記インジケーションは、メッセージにおける情報エレメントである、Ｃ２９に記載の方法。
［Ｃ３１］  前記インジケーションは、ブールタイプまたはエニュメレートタイプである、Ｃ２９に記載の方法。
［Ｃ３２］  前記ネットワークエンティティは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、Ｃ２８に記載の方法。
［Ｃ３３］  前記アクセスポイントは、無線ネットワークと関連づけられる定義されたサブセットのアクセス端末へのアクセスを制約する、Ｃ２８に記載の方法。
［Ｃ３４］  前記アクセスポイントは、ホームＮｏｄｅＢ、ホームｅＮｏｄｅＢ、無線ネットワークコントローラ、または、クローズド加入者グループセルを備える、Ｃ２８に記載の方法。
［Ｃ３５］  前記インジケーションは、初期ＵＥメッセージを介して受信される、Ｃ２８に記載の方法。
［Ｃ３６］  前記インジケーションは、ＵＥレジスタリクエストメッセージを介して受信される、Ｃ２８に記載の方法。
［Ｃ３７］  前記アクセスポイントから前記インジケーションを受信することは、前記アクセスポイントから前記ネットワークエンティティへ前記インジケーションを転送するゲートウェイから前記インジケーションを受信することを備える、Ｃ２８に記載の方法。
［Ｃ３８］  前記ゲートウェイは、ホームＮｏｄｅＢゲートウェイまたはホームｅＮｏｄｅＢゲートウェイを備える、Ｃ３７に記載の方法。
［Ｃ３９］  下記を備える通信のための装置：
ネットワークエンティティにおいてアクセスポイントからインジケーションを受信するように構成された通信コントローラ、ここにおいて、前記インジケーションは、前記ネットワークエンティティがアクセス端末についてのアクセス制御を実行すべきかどうかを示す；および、
前記受信されたインジケーションに基づいて前記アクセス端末についてのアクセス制御を実行すべきかどうかを決定するように構成されたアクセスコントローラ。
［Ｃ４０］  前記アクセス制御を実行するかどうかということを決定することは、前記ネットワークエンティティが前記アクセス制御を実行するということを前記インジケーションが明示的に示す場合には前記アクセス制御を実行すること、または、前記ネットワークエンティティが前記アクセス制御を実行しないということを前記インジケーションが明示的に示す場合には前記アクセス制御を実行しないこと、を備える、Ｃ３９に記載の装置。
［Ｃ４１］  前記ネットワークエンティティは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、Ｃ３９に記載の装置。
［Ｃ４２］  前記インジケーションは、初期ＵＥメッセージを介して受信される、Ｃ３９に記載の装置。
［Ｃ４３］  前記インジケーションは、ＵＥレジスタリクエストメッセージを介して受信される、Ｃ３９に記載の装置。
［Ｃ４４］  下記手段を備える通信のための装置：
ネットワークエンティティにおいてアクセスポイントからインジケーションを受信するための手段、ここにおいて、前記インジケーションは、前記ネットワークエンティティがアクセス端末についてのアクセス制御を実行すべきかどうかを示す；
前記受信されたインジケーションに基づいて前記アクセス端末についてのアクセス制御を実行するかどうかを決定するための手段。
［Ｃ４５］  前記アクセス制御を実行するかどうかということを決定することは、前記ネットワークエンティティが前記アクセス制御を実行するということを前記インジケーションが明示的に示す場合には前記アクセス制御を実行すること、または、前記ネットワークエンティティが前記アクセス制御を実行しないということを前記インジケーションが明示的に示す場合には前記アクセス制御を実行しないこと、を備える、Ｃ４４に記載の装置。
［Ｃ４６］  前記ネットワークエンティティは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、Ｃ４４に記載の装置。
［Ｃ４７］  前記インジケーションは、初期ＵＥメッセージを介して受信される、Ｃ４４に記載の装置。
［Ｃ４８］  前記インジケーションは、ＵＥレジスタリクエストメッセージを介して受信される、Ｃ４４に記載の装置。
［Ｃ４９］  コンピュータプログラム製品であって、コンピュータ可読媒体を備え、前記コンピュータ可読媒体は、下記のコードを備える、コンピュータプログラム製品：
コンピュータに、ネットワークエンティティにおいてアクセスポイントからインジケーションを受信させるためのコード、ここにおいて、前記インジケーションは、前記ネットワークエンティティがアクセス端末についてのアクセス制御を実行すべきかどうかを示す；および、
コンピュータに、前記受信されたインジケーションに基づいて前記アクセス端末についてのアクセス制御を実行するかどうかを決定させるためのコード。
［Ｃ５０］  前記アクセス制御を実行するかどうかということを決定することは、前記ネットワークエンティティが前記アクセス制御を実行するということを前記インジケーションが明示的に示す場合には前記アクセス制御を実行すること、または、前記ネットワークエンティティが前記アクセス制御を実行しないということを前記インジケーションが明示的に示す場合には前記アクセス制御を実行しないこと、を備える、Ｃ４９に記載のコンピュータプログラム製品。
［Ｃ５１］  前記ネットワークエンティティは、ホームＮｏｄｅＢゲートウェイ、ホームｅＮｏｄｅＢゲートウェイ、モビリティ管理エンティティ、モバイル交換センタ、または、サービングＧＰＲＳサポートノード、を備える、Ｃ４９に記載のコンピュータプログラム製品。
［Ｃ５２］  前記インジケーションは、初期ＵＥメッセージを介して受信される、Ｃ４９に記載のコンピュータプログラム製品。
［Ｃ５３］  前記インジケーションは、ＵＥレジスタリクエストメッセージを介して受信される、Ｃ４９に記載のコンピュータプログラム製品。
【外国語明細書】
2014112868000001.pdf